(57)【要約】光源１０１を配置する光学基台１１０上の面に凸部１３１を形成し、光源を保持する光源ホルダ１１１と光学基台上の凸部の空隙１３２に硬化型樹脂１４０を塗布することにより、落下衝撃などの外的要因に対して硬化型樹脂のみでも十分な固定強度を得ることができ、また、光源から生じる熱を効率的に基台へ放熱することができる。
2006118037.tif 000002
【特許請求の範囲】
【請求項１】
基台（１１０）と、上記基台に取り付けられ光情報媒体（７）へ照射する光を出射する光源（１０１）とを備え、上記光情報媒体との間で少なくとも情報の読み取りを行う光ピックアップ装置において、
上記基台は、上記光源を保持し該光源を当該基台に固定する接着剤（１４０）が塗布され、かつ上記光源にて発生した熱を当該基台へ伝達する保持部（１３０）を有し、
上記保持部は、上記光源の第１側面（１１５）に対して隙間（１３２）を介して対向し上記熱を上記接着剤を介して間接的に上記基台へ伝導し放散する壁面（１３０ａ）と、上記光源の第２側面（１１６）に接触し上記熱を直接に上記基台へ伝導し放散する座面（１３０ｂ）とを有し、
上記光源の上記第２側面を上記保持部の上記座面に接触させて上記光源を上記保持部に保持した状態において、上記接着剤は、上記隙間に充填されて上記第１側面と上記壁面とに接触して上記保持部に上記光源を固定する、
光ピックアップ装置。
【請求項２】
基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、
上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、
上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、
上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、
光ピックアップ装置。
【請求項３】
上記保持部は、上記基台に突設され上記壁面を有する突出部材（１３１）を有する、請求項２記載の光ピックアップ装置。
【請求項４】
上記突出部材は、突出方向（１１０ｂ）に沿って上記基台から突出する柱部（１３１１）と、上記突出方向に直交する直交方向に沿って上記柱部から上記光源ホルダ側へ延在する腕部（１３１２）とを有する、請求項３記載の光ピックアップ装置。
【請求項５】
上記光源ホルダ（１１２）が光軸調整部材（１１２２）及びあおり調整部材（１１２１）を有する構成において、上記腕部は、上記あおり調整部材から当該腕部への熱伝導が可能となる上記あおり調整部材の近傍位置（１３１３）まで延在する、請求項４記載の光ピックアップ装置。
【請求項６】
上記保持部は、上記基台に形成され上記壁面及び上記座面を有する凹部（１３３）にて形成される、請求項２記載の光ピックアップ装置。
【請求項７】
上記保持部は、上記基台に突設する突出部材（１３１）及び上記基台に形成した凹部（１３３）にて形成される、請求項２記載の光ピックアップ装置。
【請求項８】
上記隙間は、上記光源を保持した上記光源ホルダの取付位置調整後においても、上記接着剤の充填を可能とする大きさを有する、請求項２記載の光ピックアップ装置。
【請求項９】
上記第１側面は、上記光源から出射する光の光軸に沿って光が進行する方向（１０１ｄ）に向かい広がる傾斜面（１１５ａ）にてなり、上記第２側面は、上記光の進行方向に直交若しくはほぼ直交する方向に延在する平面である、請求項２記載の光ピックアップ装置。
【請求項１０】
上記光源を保持した上記光源ホルダは、上記光源の光出射側に光学素子（１０２）を有する、請求項２記載の光ピックアップ装置。
【請求項１１】
上記光学素子は、光の入射側及び出射側が円筒面若しくは非円筒面でガラス部材にてなるビーム整形素子である、請求項１０記載の光ピックアップ装置。
【請求項１２】
上記光源ホルダは金属材料で構成される、請求項２記載の光ピックアップ装置。
【請求項１３】
上記接着剤は硬化型樹脂で構成される、請求項２記載の光ピックアップ装置。
【請求項１４】
基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置。
【請求項１５】
基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置（１５０）と、
上記光情報装置から得られた情報に基づいて演算を行う演算装置（１６２）と、
上記光情報装置から得られた情報、及び上記演算装置による演算結果を出力する出力装置（１６３）と、を備えた光情報記録再生装置。
【請求項１６】
基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置（１５０）と、
上記光情報装置から得られる情報を画像に変換する、情報から画像へのデコーダー（１７１）とを備えた光情報記録再生装置。
【請求項１７】
上記光情報記録再生装置はカーナビゲーションシステムである、請求項１６記載の光情報記録再生装置。
【請求項１８】
基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置（１５０）と、
上記光情報装置により光情報媒体へ記録可能な情報に画像情報を変換する、画像から情報へのエンコーダー（１７６）と、を備えた光情報記録再生装置。
【請求項１９】
基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置（１５０）と、
外部装置（１８２）との情報交換を行うための入出力端子（１８１）と、を備えた光情報記録再生装置。
【発明の詳細な説明】
【技術分野】
【０００１】  本発明は、光ディスクとの間で少なくとも情報の読み取りが可能な光ピックアップ装置、該光ピックアップ装置を有する光情報装置、及び該光情報装置を有する光情報記録再生装置に関する。
【背景技術】
【０００２】  ディジタルオーディオや画像、動画、コンピュータ等で作成された文書ファイルやデータファイルを記録、保存するための記録媒体は、多種多様だが、その一つに光ディスクがある。中でもＤＶＤ（Ｄｉｇｉｔａｌ  Ｖｅｒｓａｔｉｌｅ  Ｄｉｓｋ）は、従来のＣＤ（Ｃｏｍｐａｃｔ  Ｄｉｓｃ）と比較して高密度かつ大容量にて情報を記録することが可能であり、録画機の分野においても、現在主流であるＶＴＲ（Ｖｉｄｅｏ  Ｔａｐｅ  Ｒｅｃｏｒｄｅｒ）に替わる媒体として普及しつつある。さらに近年、青紫色半導体レーザを用い、記録密度をより一層高めた次世代の光ディスクの研究が各所で進められており、早期の登場が期待されている。また、これらの光ディスクに対して、データの記録・再生を行うためには、光ピックアップ装置が必要である。【０００３】  図１６に従来の光ピックアップ装置３０に備わる光学系の構成例を示す。光ピックアップ装置３０は、例えば半導体レーザ等を有する光源１と、例えばフォトダイオード等を有する光検出器９とを具備し、光源１から発射された光ビーム２０は、ビーム整形素子２によりビーム整形され、ビームスプリッタ３を通りコリメートレンズ４により平行光に変換され、立上げミラー５により光軸を折り曲げられ、集光レンズ６により光ディスク７上の情報記録面７ａに集光する。光ディスク７の情報記録面７ａ上で反射した光は、逆の経路をたどり、コリメートレンズ４により集光され、ビームスプリッタ３により反射され、光検出器９上に集光する。この光検出器９で光情報を電気信号に変換することにより、光ディスク７に記録されている情報を電気信号として読み取ることが出来る。【０００４】  また光源１の発光点位置と、コリメートレンズ４の光学的中心点を結ぶ直線を光軸２１と呼び、この光軸２１が集光レンズ６の光学的中心点を通るよう、各々の部品は配置されている。そのため、光ピックアップ装置３０の組み立てに際しては発光点位置すなわち光源１の位置調整による光軸調整が必須であり、かつ調整後に光源１は位置ずれを起こしにくい構造が必須である。【０００５】  光軸調整後の光源１の固定方法としては、特開２００３−１３２５７０号公報に開示され図１７に示すように、光源１の部材であり光源１を保持するホルダ部材３１を板バネ３２で光学基台３０に固定する方法や、特開２００５−３２３１４号公報や実用新案登録第３０９８７９４号公報に開示され図１８に示すように、光源１を保持するホルダ部材３３を光学基台３４に紫外線硬化樹脂３５を用いて固定する方法が一般的である。
【特許文献１】特開２００３−１３２５７０号公報
【特許文献２】特開２００５−３２３１４号公報
【特許文献３】実用新案登録第３０９８７９４号公報
【発明の開示】
【発明が解決しようとする課題】
【０００６】  しかしながら、従来例の図１７に示すような光源ホルダ部材３１を光学基台３０に板バネ３２で固定する方法では、板バネ３２を光学基台３０に固定するための機構が必要となり、すなわち光源ホルダ部材３１の近傍に大きなスペースが必要となる。これにより光ピックアップ装置が小型化しにくくなるという課題がある。また、この方法では、固定補助部品として板バネ３２が必要なため、光ピックアップ装置を構成する部品点数が増えてしまうという課題もある。【０００７】  また、従来例の図１８に示すような紫外線硬化樹脂３５を用いて光源ホルダ部材３３を光学基台３４に固定する方法では、落下衝撃など外的要因が加わった場合に、光源ホルダ部材３３にて支持される光源１が光学基台３４に対して位置ずれを起こしたり、光学基台３４からのホルダ部材３３の脱落が発生するという課題がある。図１９を参照して説明すると、光学基台３４と光源ホルダ部材３３とは、光源ホルダ部材３３の裏面３３ａと光学基台３４との間に紫外線硬化樹脂３５を設けて固定されている。よって、上記落下衝撃等により、光源ホルダ部材３３に例えばＹ方向（紙面を貫通する方向）に力が作用した場合、光源ホルダ部材３３の裏面３３ａと紫外線硬化樹脂３５との接着面３５ａ部分のみに剪断力が作用することになり、接着面３５ａで剥離し易く、よって光源ホルダ部材３３の固定力が弱いという課題がある。【０００８】  さらにまた、近年では光ディスクに対して、より高速にて情報の読み取りさらには書き込みが可能となるように、赤色のレーザ光源における高出力化が進められたり、より大容量の情報の読み書きが可能となるようにレーザ光の短波長化、つまり青色レーザ光の採用が進められたりしている。これに伴い、レーザ光源における発熱量が従来に比べて大きくなってきている。許容を超える発熱は、発光及び照射光の安定性に影響することから、光ピックアップ装置におけるレーザ光源の除熱を行うことも重要な課題になってきている。【０００９】  本発明では上記課題を解決し、光ピックアップ装置の小型化・少部品点数化を達成しつつも、落下衝撃などの外的要因に対しても耐久性が高く、さらに光源の放熱性が良い光ピックアップ装置、及び該光ピックアップ装置を備えた光情報装置、及び該光情報装置を備えた光情報記録再生装置を提供することを目的とする。
【課題を解決するための手段】
【００１０】  上記目的を達成するため、本発明は以下のように構成する。
即ち、本発明の第１態様の光ピックアップ装置は、基台と、上記基台に取り付けられ光情報媒体へ照射する光を出射する光源とを備え、上記光情報媒体との間で少なくとも情報の読み取りを行う光ピックアップ装置において、
上記基台は、上記光源を保持し該光源を当該基台に固定する接着剤が塗布され、かつ上記光源にて発生した熱を当該基台へ伝達する保持部を有し、
上記保持部は、上記光源の第１側面に対して隙間を介して対向し上記熱を上記接着剤を介して間接的に上記基台へ伝導し放散する壁面と、上記光源の第２側面に接触し上記熱を直接に上記基台へ伝導し放散する座面とを有し、
上記光源の上記第２側面を上記保持部の上記座面に接触させて上記光源を上記保持部に保持した状態において、上記接着剤は、上記隙間に充填されて上記第１側面と上記壁面とに接触して上記保持部に上記光源を固定する。【００１１】  又、本発明の第２態様の光ピックアップ装置は、基台と、光情報媒体へ照射する光を出射する光源を保持しかつ上記基台に取り付けられる光源ホルダとを備え、上記光情報媒体との間で少なくとも情報の読み取りを行う光ピックアップ装置において、
上記基台は、上記光源ホルダを保持し上記光源ホルダを当該基台に固定する接着剤が塗布され、かつ上記光源にて発生し上記光源ホルダへ伝導した熱を当該基台へ伝達する保持部を有し、
上記保持部は、上記光源ホルダの第１側面に対して隙間を介して対向し上記光源ホルダの熱を上記接着剤を介して間接的に上記基台へ伝導し放散する壁面と、上記光源ホルダの第２側面に接触し上記光源ホルダの熱を直接に上記基台へ伝導し放散する座面とを有し
上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する。【００１２】  上記第２態様において、上記保持部は、上記基台に突設され上記壁面を有する突出部材を有することもできる。【００１３】  上記第２態様において、上記突出部材は、突出方向に沿って上記基台から突出する柱部と、上記突出方向に直交する直交方向に沿って上記柱部から上記光源ホルダ側へ延在する腕部とを有することもできる。【００１４】  上記第２態様において、上記光源ホルダが光軸調整部材及びあおり調整部材を有する構成において、上記腕部は、上記あおり調整部材から当該腕部への熱伝導が可能となる上記あおり調整部材の近傍位置まで延在することもできる。【００１５】  上記第２態様において、上記保持部は、上記基台に形成され上記壁面及び上記座面を有する凹部にて形成することもできる。【００１６】  上記第２態様において、上記保持部は、上記基台に突設する突出部材及び上記基台に形成した凹部にて形成することもできる。【００１７】  上記第２態様において、上記隙間は、上記光源を保持した上記光源ホルダの取付位置調整後においても、上記接着剤の充填を可能とする大きさを有することもできる。【００１８】  上記第２態様において、上記第１側面は、上記光源から出射する光の光軸に沿って光が進行する方向に向かい広がる傾斜面にてなり、上記第２側面は、上記光の進行方向に直交若しくはほぼ直交する方向に延在する平面であってもよい。【００１９】  上記第２態様において、上記光源を保持した上記光源ホルダは、上記光源の光出射側に光学素子を有することもできる。【００２０】  上記第２態様において、上記光学素子は、光の入射側及び出射側が円筒面若しくは非円筒面でガラス部材にてなるビーム整形素子であってもよい。【００２１】  上記第２態様において、上記光源ホルダは金属材料で構成することもできる。【００２２】  上記第２態様において、上記接着剤は硬化型樹脂で構成することもできる。【００２３】  さらに、本発明の第３態様の光情報装置は、上記第１態様又は上記第２態様における光ピックアップ装置と、
上記光情報媒体を回転するモータと、
上記光ピックアップ装置から得られる信号を受け、上記信号に基づいて上記モータ及び光源素子の制御及び駆動を行う制御駆動回路と、を備えた。【００２４】  さらに本発明の第４態様の光情報記録再生装置は、上記第３態様の光情報装置と、
上記光情報装置から得られた情報に基づいて演算を行う演算装置と、
上記光情報装置から得られた情報、及び上記演算装置による演算結果を出力する出力部と、を備えた。【００２５】  このように構成される第４態様の光情報記録再生装置は、コンピュータシステムを構成することができる。【００２６】  さらに本発明の第５態様の光情報記録再生装置は、上記第３態様の光情報装置と、
上記光情報装置から得られる情報信号を画像に変換する、情報から画像へのデコーダーとを備えた。【００２７】  このように構成される第５態様の光情報記録再生装置は、光情報媒体プレーヤを構成することができる。【００２８】  上記第５態様において、上記光情報記録再生装置はカーナビゲーションシステムであってもよい。【００２９】  さらに本発明の第６態様の光情報記録再生装置は、上記第３態様の光情報装置と、
上記光情報装置により光情報媒体へ記録可能な情報に画像情報を変換する、画像から情報へのデコーダーと、を備えた。【００３０】  このように構成される第６態様の光情報記録再生装置は、光情報媒体レコーダを構成することができる。【００３１】  さらに本発明の第７態様の光情報記録再生装置は、上記第３態様の光情報装置と、
外部装置との情報交換を行うための入出力端子と、を備えた。【００３２】  このように構成される第７態様の光情報記録再生装置は、光ディスクサーバーを構成することができる。
【発明の効果】
【００３３】  本発明の第１態様及び第２態様における光ピックアップ装置によれば、基台は保持部を有することから、板バネのような補助部品を使用せずに光源又は光源ホルダを基台に固定することができ、光ピックアップ装置を小型化できるといった効果がある。また、光学基台上に形成された保持部と、光源及び光源ホルダとの空隙に、例えば紫外線硬化樹脂の接着剤を塗布することから、小さなスペースで光学基台と、光源及び光源ホルダとへの接着剤の接触面積を大きくすることが出来る。すなわち光学基台への光源及び光源ホルダの固定強度を高められるため、落下衝撃などの外的要因に対して耐久性を高めることが出来るといった効果がある。【００３４】  又、上記保持部は、壁面及び座面を有することから、光学素子及び光源ホルダにて発生した熱を効果的に基台へ伝導し放散することができる。【００３５】  又、本発明の第３態様の光情報装置、第４態様から第７態様における光情報記録再生装置では、上述した光ピックアップ装置を有することから、従来に比べて耐久性、及び光源部分の放熱性が優れた装置を提供することが可能である。
【図面の簡単な説明】
【００３６】
【図１】本発明の実施の形態１における光ピックアップ装置における光源部分の構成を示す概略斜視図である。
【図２Ａ】図１に示す光源部分の構成を示す概略断面図である。
【図２Ｂ】図１に示す光源部分の変形例を示す概略断面図である。
【図２Ｃ】図１に示す光源部分の変形例を示す概略断面図である。
【図２Ｄ】図１に示す光源部分の変形例を示す概略斜視図である。
【図２Ｅ】図１に示す光源部分の変形例を示す概略斜視図である。
【図２Ｆ】図１に示す光源部分の変形例を示す概略斜視図である。
【図２Ｇ】図２Ｅに示す光源部分の構成を示す概略断面図である。
【図２Ｈ】図１に示す光源部分の変形例を示す概略斜視図である。
【図２Ｉ】図１に示す光源部分の変形例を示す概略断面図である。
【図２Ｊ】図１に示す光源部分の変形例を示す概略斜視図である。
【図３Ａ】本発明の実施の形態２における光ピックアップ装置における光源部分の構成を示す概略斜視図である。
【図３Ｂ】図３Ａに示す光源部分の構成を示す概略断面図である。
【図３Ｃ】図３Ａに示す光源部分の変形例を示す概略斜視図である。
【図３Ｄ】図３Ｃに示す光源部分の概略断面図である。
【図４】本発明の実施の形態３における光ピックアップ装置における光源部分の構成を示す概略断面図である。
【図５Ａ】本発明の実施の形態４における光ピックアップ装置における光源部分の構成を示す概略断面図である。
【図５Ｂ】図５Ａに示す光源部分の変形例を示す概略断面図である。
【図６】本発明の実施の形態５の光情報装置の概略構成を示す図である。
【図７】本発明の実施の形態６のコンピュータの構成を示す概略斜視図である。
【図８】本発明の実施の形態７の光ディスクプレーヤ及びカーナビゲーションシステムの構成を示す概略斜視図である。
【図９】本発明の実施の形態８の光ディスクレコーダの構成を示す概略斜視図である。
【図１０】本発明の実施の形態９の光ディスクサーバの構成を示す概略斜視図である。
【図１１】上記実施の形態１〜４における光ピックアップ装置の概略構成を示す斜視図である。
【図１２Ａ】上記実施の形態１〜４における光ピックアップ装置における光源部分の変形例を示す概略斜視図である。
【図１２Ｂ】図１２Ａに示す光源部分の概略断面図である。
【図１３】上記実施の形態１〜４における光ピックアップ装置における光源部分の別の変形例を示す概略斜視図である。
【図１４】上記実施の形態１〜４における光ピックアップ装置における光源部分のさらに別の変形例を示す概略斜視図である。
【図１５】上記実施の形態１〜４における光ピックアップ装置における光源部分の別の変形例を示す概略斜視図である。
【図１６】光ピックアップの構成例を示す線図的説明図である。
【図１７】従来の光ピックアップの光源部の構成例を示す概略斜視図である。
【図１８】従来の光ピックアップの光源部の構成例を示す概略斜視図である。
【図１９】１８に示す光源部の固定強度が弱いことを説明するための図である。
【符号の説明】
【００３７】  ７…光ディスク、
１００…光ピックアップ装置、１０１…レーザ光源、１０２…ビーム整形素子、
１１０…光学基台、１１１…光源ホルダ、１１２…光源ホルダ、
１１５…第１側面、１１５ａ…傾斜面、１１６…第２側面、１３０…保持部、
１３０ａ…壁面、１３０ｂ…座面、１３１…リブ、１３２…隙間、１３３…凹部、
１４０…硬化型樹脂、
１５０…光情報装置、１５１…駆動装置、１５３…制御駆動回路、
１６０…コンピュータシステム、１６２…演算装置、１６３…出力装置、
１７０…光ディスクプレーヤ、カーナビゲーションシステム、
１７１…デコーダー、１７６…エンコーダー、
１８０…光ディスクサーバ、１８１…入出力端子、
１１２１…光源あおりホルダ、１１２２…光軸調整ホルダ、
１３１１…柱部、１３１２…腕部。
【発明を実施するための最良の形態】
【００３８】  以下に本発明の実施形態である光ピックアップ装置、光情報装置、及び光情報記録再生装置について、図面を参照しながら説明する。尚、各図において、同じ構成部分については同じ符号を付している。【００３９】  上記実施形態における光ピックアップ装置は、光情報媒体の一例であるＣＤ及びＤＶＤとの間で少なくとも情報の読み取りを行う、好ましくは情報の読み書きを行う装置である。該光ピックアップ装置による情報の再生及び記録動作については、上述した従来の光ピックアップ装置３０にて行われる動作に同じであり、ここでの説明は省略する。尚、図１１には、上述のような光ピックアップ装置の一例における主要部分である、いわゆるキャリッジ１０７の部分を図示している。該キャリッジ１０７には、青色レーザを使用し図示の左側半分に配置されている光学系１０８を有するＢＤ（ブルーレイディスク）用の光ピックアップと、図示の右側半分に配置されている光学系１０９を有するＣＤ及びＤＶＤ用の光ピックアップとが一つの光学基台１１０に載置されている。又、キャリッジ１０７は、光ピックアップ装置１００に備わる複数の案内シャフト１０６にて、ＣＤ及びＤＶＤの直径方向に沿って移動可能に支持される。上述のように図１１は、ＢＤ用と、ＣＤ及びＤＶＤ用の光ピックアップとを一体的に形成した光ピックアップ装置１００を図示するが、光ピックアップ装置の形態はこれに限定するものではなく、ＤＶＤ用、ＣＤ用、ＢＤ用のそれぞれ専用の光ピックアップ装置であってもよいし、これら３種類を任意に組み合わせてなる光ピックアップ装置であってもよい。尚、以下に説明する各実施形態１〜４では、上記光ピックアップ装置１００に備わるＢＤ用の光ピックアップを例に採り、その光源部分について説明を行う。しかしながら、以下の各実施形態１〜４の説明は、ＢＤ用に限定するものではなく、ＣＤ、ＤＶＤ用にも勿論適用可能である。【００４０】  （実施の形態１）
図１は、本発明の実施の形態１における光ピックアップ装置の構成のうち、光源部分の構造を示す斜視図である。簡単のため、光ピックアップ装置を構成する他の部品は、図示を省略する。【００４１】  図１において、１０１は、光情報媒体へ波長λ（３９０ｎｍ〜４１５ｎｍ：代表として４０５ｎｍとする）のレーザ光１０１ｃを出射するレーザ光源、１１１はレーザ光源１０１を保持し上記光学基台１１０に取り付けられる光源ホルダである。【００４２】  レーザ光源１０１は、好ましくは半導体レーザ光源とすることにより、光ピックアップ及びこれを用いた光情報装置を小型、軽量、低消費電力にできる効果がある。【００４３】  レーザ光源１０１は、例えば図２Ａに示すように、好ましくは光源１０１を包囲する光源ホルダ１１１に、例えば紫外線硬化樹脂のような接着剤を用いて固定するのが良い。これにより、レーザ光源１０１自身の外形に外的負荷を掛けることないため、製品の信頼性を高められるといった効果がある。【００４４】  光源ホルダ１１１は、好ましくはアルミニウムや亜鉛のような金属材料で構成されることにより、光ピックアップに落下衝撃などの外的要因が加わった場合でも、ホルダ自身が変形や破壊を起こしにくいといった効果がある。又、金属材料で構成することで、発熱源である光源１０１から発した熱が効率よく光源ホルダ１１１に伝導でき、光源１０１の放熱性を高めることができる。【００４５】  光学基台１１０には、光源ホルダ１１１を当該基台１１０に保持し光源ホルダ１１１を当該基台１１０に固定する接着剤１４０が塗布されるとともに、光源１０１にて発生し光源ホルダ１１１へ伝導した熱を当該基台１１０へ伝達する保持部１３０が備わる。【００４６】  保持部１３０は、光源ホルダ１１１の第１側面１１５に対して隙間１３２を介して対向し光源ホルダ１１１の熱を、接着剤１４０を介して間接的に基台１１０へ伝導し放散する壁面１３０ａと、光源ホルダ１１１の第２側面１１６に接触し光源ホルダ１１１の熱を直接に基台１１０へ伝導し放散する座面１３０ｂとを有する。【００４７】  上述のような構成を有する保持部１３０の一形態例を図１及び図２Ａに示す。この形態では、上記基台１１０に突設され突出部材の一例に相当するリブ１３１を、光源ホルダ１１１を挟むように対向して２つ配置することで形成される収納部にて、保持部１３０が構成される。この形態において、保持部１３０が有する壁面１３０ａは、リブ１３１における、光源ホルダ１１１の第１側面１１５に対して隙間１３２を介して対向する、壁面が相当する。又、保持部１３０が有する座面１３０ｂは、光源ホルダ１１１の第２側面１１６に接触する、基台１１０の外表面が相当する。【００４８】  上述のような構成を有する保持部１３０では、光源ホルダ１１１の第２側面１１６を保持部１３０の座面１３０ｂに接触させて光源ホルダ１１１を保持部１３０に保持した状態において、接着剤１４０は、隙間１３２に充填されて第１側面１１５と壁面１３０ａとに接触して保持部１３０に光源ホルダ１１１を固定する。【００４９】  このように保持部１３０を設けることで、隙間１３２に充填された接着剤１４０にて、光源１０１付の光源ホルダ１１１を基台１１０に固定���ることができ、さらに、光源ホルダ１１１は、上記壁面１３０ａと隙間１３２を介して対向しかつ隣接し、かつ上記座面１３０ｂと直接に接触することから、保持部１３０は、光源ホルダ１１１の熱を効率よく除去するように作用する。【００５０】  以下に説明するように、隙間１３２は、微小な値にてなる空間であるので、光源ホルダ１１１の第１側面１１５と保持部１３０の壁面１３０ａとは対向して近接することになる。よって、上述のように壁面１３０ａを介して基台１１０への光源ホルダ１１１の放熱効果を高めることができる。
又、隙間１３２の大きさは、以下に説明するような根拠に基づき決定されるが、さらに、光源ホルダ１１１の第１側面１１５から壁面１３０ａへの放熱性を良好とする観点からも隙間１３２の大きさを決定することもできる。【００５１】  保持部１３０に収納される光源ホルダ１１１は、光学基台１１０に対し、上記第２側面１１６と上記座面１３０ｂとの平面で接触しており、図１の上下左右に自由に摺動することで光ピックアップの組み立て時に光軸調整を行うことができる構造となっている。又、上記隙間１３２は、上述の光軸調整を行った後においても接着剤１４０が充填可能な大きさを有する。各隙間１３２の具体値の一例としては、１００μｍ前後から１ｍｍ以下である。これらの値は、上記光軸調整に由来するもので、光源１０１における発光点つまりレーザ素子が少なくとも８０μｍ程度の位置誤差を有すること、及び光源部分の製造上の製作誤差、等から求められる。【００５２】  上記接着剤１４０は、例えば紫外線硬化樹脂にてなり、隙間１３２に充填されることで、少なくともリブ１３１の側面１３０ａと光源ホルダ１１１の第１側面１１５との２面に接して連続して存在しており、光学基台１１０上のスペースを大きく占有することなく、接触面積を広く取ることができる。よって、光ピックアップに例えば落下衝撃のような外的要因が、図１のＸ，Ｙ方向に作用した場合でも、光源ホルダ１１１は、光学基台１１０に対し位置ずれを生じず、すなわち光源１０１の位置ずれによる光軸調整後の光軸は、ずれを生じないといった効果がある。又、上記外的要因がＺ方向に作用した場合でも、同様に、光源ホルダ１１１は、光学基台１１０に対し位置ずれを生じず、いわゆる焦点ズレが発生することもない。尚、上記Ｚ方向とは、光源１０１から出射されるレーザ光の光軸方向に一致又はほぼ一致する方向である。【００５３】  また、本実施の形態１において、紫外線硬化樹脂の接着剤１４０は、リブ１３１の壁面１３０ａと光源ホルダ１１１の第１側面１１５に接しているとしたが、光学基台１１０や他の部品や、リブ１３１の他の面や光源ホルダ１１１の他の面に接していてもよい。又、接着剤１４０は、図１に示すように、光源ホルダ１１１の四隅に対応した場所に点在させているが、該態様に限定するものではなく、塗布量の制限を設けなければ例えば隙間１３２の全領域に充填してもよい。【００５４】  また、本実施の形態１において、紫外線硬化樹脂の接着剤１４０（以下、「紫外線硬化樹脂１４０」と記す場合もある。）を固定用に用いているが、熱硬化樹脂や嫌気性樹脂、湿気硬化樹脂などの、流動性の樹脂に外的要因を加えることで硬化をするような硬化型樹脂であってもよく、また、同様の効果を得られる接着剤であってもよい。さらに、放熱の点から、熱伝導性の高い物質であるのがより好ましい。【００５５】  また、本実施の形態１において、光学基台１１０上に形成されたリブ１３１は、基台１１０と一体的に成形しているが、これに限定されるものではなく、別の支持部材を光学基台１１０に対し溶接や接着などの方法で固定される構成であっても、同様の効果が得られる。【００５６】  また、本実施の形態１において、光源ホルダ１１１の第２側面１１６は、光学基台��１０の座面１３０ｂに対し平面で接触しているとしたが、図２Ｂ及び図２Ｃに示すように、点で接触や線で接触や、もしくは接触していなくともよい。尚、これらの接触形態は、面接触に比べて放熱性の点では劣るが、接触面積が小さいことから、光源ホルダ１１１の光軸調整時における光源ホルダ１１１の摺動性が良いという利点がある。【００５７】  又、上記第１側面１１５は、上述のように保持部１３０の壁面１３０ａに対向する側面であることから、図２Ａに２点鎖線にて記すように例えば、壁面１３０ａを有する突出部材１３１が光源ホルダ１１１の高さと同じ高さまで突出するときには、第１側面１１５は、符号１１５−３を記した光源ホルダ１１１の側面までも含む概念である。【００５８】  又、図１に示すようにリブ１３１は、直線状に延在するもの、及び一対存在するものに限定されない。例えば図２Ｄに示すように、光源ホルダ１１１の第１側面１１５の外形状に対応した形状にてなり第１側面１１５を包囲する、例えば円筒形にてなる、リブ１３１−１を形成してもよい。又、リブ１３１、１３１−１を設けることで、基台１１０の剛性を高めることもでき、衝撃等の外的要因に対する基台１１０の強度を向上させることができる。
又、以下に説明するように、保持部１３０を構成する形態は、上記リブ１３１を設ける方法に限定されるものではない。【００５９】  即ち、図２Ｅに示すように、リブ１３１を形成することなく基台１１０の外表面に単に凹部１３３を形成することで保持部１３０を形成してもよい。この場合、凹部１３３の底面に相当する面が上記座面１３０ｂに対応し、上記底面より立設する凹部１３３の内面１３３１が上記壁面１３０ａに対応する。【００６０】  又、上述の突出部材及び凹部を組み合わせて、図２Ｆ及び図２Ｇに示すように、突出部材１３１−２と、凹部１３３とにより保持部１３０を形成することもできる。ここで突出部材１３１−２は、光源ホルダ１１１の全長に渡り延在してもよいし、光源ホルダ１１１の全長に渡り延在することなく、図示するように光源ホルダ１１１の一部分のみに対応する形態を採ることもできる。図２Ｆ及び図２Ｇに示す形態では、光源１０１から出射されるレーザ光１０１ｃの光軸１０１ｅに直交するＸ，Ｙ方向の内、Ｙ方向において光源ホルダ１１１のほぼ中央部分に対応して、光源ホルダ１１１の左右両側に一箇所ずつ、突出部材１３１−２を設けている。突出部材１３１−２は、基台１１０の外表面１１０ａから突出方向１１０ｂに沿って突出する柱部１３１１と、突出方向１１０ｂに直交するＸ方向に沿って柱部１３１１から光源ホルダ１１１側へ延在する腕部１３１２とを有し、柱部１３１１及び腕部１３１２は、基台１１０と一体的に成形されている。【００６１】  尚、このように屈曲した形状を有する突出部材１３１−２及び凹部１３３にて保持部１３０を形成するとき、保持部１３０の壁面１３０ａは、凹部１３３の内面１３３１と、柱部１３１１の壁面１３１１ａと、腕部１３１２の壁面１３１２ａとによって構成される。又、腕部１３１２は、光源ホルダ１１１の一部分を覆うように延在する。一方、光源ホルダ１１１の上記第１側面１１５は、上述のように保持部１３０の壁面１３０ａに対向する側面であることから、この形態では壁面１３１１ａ及び壁面１３１２ａに対向する、符号１１５−１、１１５−２、１１５−３を記した光源ホルダ１１１の側面が上記第１側面１１５に相当する。【００６２】  又、突出部材１３１−２及び凹部１３３にて保持部１３０を形成した場合、接着剤１４０は、図２Ｇに示すように、突出部材１３１−２における壁面１３１１ａ及び壁面１３１２ａと、これらの壁面に対向する光源ホルダ１１１の第１側面１１５との隙間１３２に設けられる。これに加えてさらに、図１に示すように、凹部１３３の内面１３３１と、該内面１３３１に対向する光源ホルダ１１１の第１側面１１５との隙間１３２にて、例えば光源ホルダ１１１の四隅に対応して、接着剤４０を設けても良い。【００６３】  上述のように屈曲した形状にてなる突出部材１３１−２を含み保持部１３０を形成することで、保持部１３０の壁面１３０ａの総面積を、リブ１３１を設けた場合に比べて、より大きくすることができる。したがって、接着剤１４０の塗布可能面積、及び伝熱に寄与する面積が大きくなることから、保持部１３０は、より強固に光源ホルダ１１１を保持することができ、かつ光源ホルダ１１１の除熱効率をより高めることができる。【０��６４】  又、図２Ｆに示す形態の変形例の一つとして、図２Ｈに示すように、２つを超える突出部材１３１−２を設けた構成を採ることもできる。このとき、光源１０１の発光点に対して各突出部材１３１−２を、Ｘ，Ｙ方向に対称な位置に配置することで、光源１０１からの放熱が各方向に均等となり、光源１０１の温度変化を安定化させることができる。又、各突出部材１３１−２による接着箇所がＸ，Ｙ方向に対称な位置に配置され固定点をなすことから、当該光ピックアップ装置の周囲温度の変化により基台１１０及び光源ホルダ１１１に伸縮が生じたときでも、発光点に対する固定点の位置ズレがＸ，Ｙ方向に対称となるので、発光点の位置ズレが生じにくいという効果もある。【００６５】  又、他の変形例として、図２Ｉに示すように、突出部材１３１−２の腕部１３１２を、光源ホルダ１１１における、発光側とは逆側の根本部分１１７に近接する近傍位置１３１３まで延在させた構成を採ることもできる。ここで、近傍位置１３１３は、光源ホルダ１１１から突出部材１３１−２の腕部１３１２への熱伝導が可能となるような位置とするのが好ましい。【００６６】  このような構成を採ることで、光源ホルダ１１１の第１側面１１５−１と突出部材１３１−２の壁面１３１１ａとの隙間１３２、及び光源ホルダ１１１の第１側面１１５−３と突出部材１３１−２の壁面１３１２ａとの隙間１３２に接着剤１４０を設けることができる。又、腕部１３１２は、光源ホルダ１１１の根本部分１１７を接着剤１４０を介して支持することになる。したがって、図２Ｇの構成に比べて、より強固に保持部１３０は光源ホルダ１１１を保持、固定することができ、かつ保持部１３０の壁面１３０ａの面積をより大きくすることができ放熱面積をより大きくすることができる。又、発熱部により近い場所から除熱が可能となることから、光源ホルダ１１１の放熱性をより高めることができるという効果もある。【００６７】  又、上述では、突出部材１３１−２及び凹部１３３にて保持部１３０を形成する構成を述べたが、他の変形例として、図２Ｊに示すように、突出部材１３１−２のみにて保持部１３０を形成する構成を採っても良い。【００６８】  また、本実施の形態１において、光源１０１は光源ホルダ１１１に保持されているとしたが、図１２Ａ、図１２Ｂ、図１３、及び図１４に示すように、光源１０１そのものが、光源１０１と、光学基台１１０上に形成された保持部１３０との空隙１３２に塗布された紫外線硬化樹脂１４０によって、基台１１０に固定される場合でも、同様の効果が得られる。【００６９】  ここで、図１２Ａ、図１２Ｂ、及び図１４では、保持部１３０は、基台１１０の外表面に凹部１３３を設けることで保持部１３０を形成したものであり、図１３では、上述の構成と同様に、基台１１０にリブ１３１を設けることで保持部１３０を形成したものである。又、保持部１３０は、図１２Ａ及び図１に示すように直線状に延在する溝形状に限定されず、光源１０１又は光源ホルダ１１１の外形状に対応した形状にてなり、光源１０１又は光源ホルダ１１１の外形状を包囲するような形状、例えば図１４に示すような円形の凹部形状や、図２Ｄに示すように円形の突出部材１３１にて形成され��形状等にて形成することもできる。【００７０】  ここで光源１０１には、保持部１３０の壁面１３０ａと隙間１３２を介して対向し上記第１側面１１５に対応する、第１側面１０１ａと、保持部１３０の座面１３０ｂと直接に接触し上記第２側面１１６に対応する、第２側面１０１ｂとが備わる。【００７１】  また、本実施の形態１において、光源１０１として例えば波長λのレーザ光を出射するレーザ光源としたが、波長はこれ以外の値であってもよく、また半導体レーザ以外の光源であってもよい。【００７２】  また、本実施の形態１において、光源１０１は、光源ホルダ１１１に対し紫外線硬化樹脂を用いた固定としているが、光源１０１の外形に大きな負荷を掛けない構成であれば、例えば光源ホルダ１１１に対し光源１０１をしまりばめで挿入してもよく、すきまばめで挿入し板バネなどの別部品で固定してもよい。【００７３】  また、本実施の形態１において、光源ホルダ１１１は、金属材料で構成されるとしたが、ＰＰＳ（ポリプロスチレン）のような樹脂材料であってもよい。樹脂材で形成することで、金属材料の場合に比べると熱伝導度は良くないが、軽量化を図ることができる。【００７４】  （実施の形態２）
図３Ａ〜図３Ｄは、本発明の実施の形態２における光ピックアップ装置の構成のうち、光源部分の構造を示す説明図である。図３Ａ〜図３Ｄにおいて、図１または図２Ａ等と同じ構成については同じ符号を用い説明を省略する。【００７５】  上述の実施形態１では、光源ホルダ１１１は、一つの部材から構成され、設置位置調整のためＸ，Ｙ方向への移動は可能であるが、光軸のいわゆるあおり調整は行えない構造である。これに対し、当該実施形態２では、光源ホルダは、あおり調整を可能とする構造を有する。
即ち、図３Ａ及び図３Ｂに示すように、光源ホルダ１１２は、あおり調整部材の一例に相当する光源あおりホルダ１１２１と、光軸調整部材の一例に相当する光軸調整ホルダ１１２２との２部品で構成されている。【００７６】  光源１０１は、光源あおりホルダ１１２１に対し、実施の形態１と同様の方法で固定されており、光源あおりホルダ１１２１は、光軸調整ホルダ１１２２に対し揺動可能に接触している。即ち、光源ホルダ１１２は、光軸調整ホルダ１１２２のコーン部に、光源あおりホルダ１１２１の円弧面を嵌め込む構成を有し、上記円弧面は、上記コーン部に対して線接触することから、光源あおりホルダ１１２１は、光軸調整ホルダ１１２２に対し揺動可能となる。
このような構成とすることにより、光源１０１が製作上の発光角の傾きを持っている場合、光源あおりホルダ１１２１を光軸調整ホルダ１１２２に対し、θｘ、θｙ軸にあおり調整することができるため、光源あおりホルダ１１２１ごと発光角を所望の角度に調整することができる。この発光角調整後、光軸調整ホルダ１１２２の第２側面１１６は、上述した光源ホルダ１１１と同様に、光学基台１１０の座面１３０ｂに対し面で接触しており、光軸調整ホルダ１１２２は、図３Ａにおける上下左右に自由に摺動することで光ピックアップの組み立て時に光軸調整を行うことができる構造である。光学基台１１０は、上述のように保持部１３０を有する。尚、図３Ａ及び図３Ｂに示す構成では、図１に示す構成と同様に、保持部１３０の壁面１３０ａを有する、突出部材としてのリブ１３１が設けられる。又、光学基台１１０上に形成されたリブ１３１と光軸調整ホルダ１１２２との間には微小な空隙１３２が設けられており、光軸調整後においても空隙１３２は、上述したように、接着剤１４０が充填可能な程度の大きさを保つ大きさとなっており、この空隙１３２に紫外線硬化樹脂１４０がリブ１３１の壁面１３０ａと光軸調整ホルダ１１２２の第１側面１１５とに接するように塗布されている。尚、符号１１２３を付した部材は、光源あおりホルダ１１２１のサポート部材である。【００７７】  このような構成とすることで、光ピックアップの組み立て時に光源１０１は、自身の発光角のずれ調整と、光ピックアップの光軸調整を両立しつつ、その調整後では、実施の形態１で示す効果と同様の効果を奏することができる。即ち、光ピックアップに例えば落下衝撃のような外的要因が作用した場合でも、光軸調整ホルダ１１２２は、光学基台１１０に対し位置ずれを生じず、すなわち光源１０１の位置ずれによる光軸調整後の光軸は、ずれを生じないといった効果がある。【００７８】  又、当該実施形態２においても、上述した図２Ｂ〜図２Ｊに示す変形例の構成を採ることもできる。例えば図３Ｃ、図３Ｄに示す構成は、図２Ｆ、図２Ｉに示す構成に対応する。図３Ｃ、図３Ｄに示す構成では、図２Ｉに示す構成が奏する効果と同様の効果、つまりより強固に保持部１３０は光源ホルダ１１２を保持、固定することができ、かつ保持部１３０の壁面１３０ａの面積をより大きくすることができ放熱面積をより大きくすることができる。特に、光軸のあおり調整は、ＢＤ用の光源にて必要となることから、通常のＣＤ，ＤＶＤ用の光源に比べて発熱量が大きいＢＤ用の光源から効率良く放熱を行うことは重要である。一方、上述のように光軸調整ホルダ１１２２に対し光源あおりホルダ１１２１は、揺動する必要があることから、光源ホルダ１１２は、光軸調整ホルダ１１２２のコーン部と光源あおりホルダ１１２１の円弧面とが接触する構成を有する。よって、光源あおりホルダ１１２１と光軸調整ホルダ１１２２とは線接触しているに過ぎず、発熱源である光源１０１を保持する光源あおりホルダ１１２１から光軸調整ホルダ１１２２、ひいては基台１１０への熱伝導は、良好ではない。
これらの観点から、突出部材１３１−２の腕部１３１２を、光源あおりホルダ１１２１の、発光側とは逆側の根本部分１１７に近接する近傍位置１３１３まで延在させ、光源あおりホルダ１１２１と腕部１３１２との間に接着剤１４０を設けた、図３Ｃ、図３Ｄに示す構成は、光源１０１が直接に接触している光源あおりホルダ１１２１から腕部１３１２への伝熱性を向上させることができ、光源１０１から効率的に除熱が行え、効果的である。ここで上記近傍位置１３１３は、光源あおりホルダ１１２１から突出部材１３１−２の腕部１３１２への熱伝導が可能となるような位置である。【００７９】  （実施の形態３）
図４は、本発明の実施の形態３における光ピックアップの構成のうち、光源部分の構造を示す断面図である。図４において図１等と同じ構成については同じ符号を用い説明を省略する。【００８０】  本実施の形態３では、光源ホルダ１１１の第１側面１１５は、光源側から光学基台側に向かって広がる斜面、換言すると光源１０１から出射する光１０１ｃの光軸１０１ｅに沿って光が進行する方向１０１ｄに向かい広がる傾斜面１１５ａとして形成されている。光源ホルダ１１１は、光学基台１１０に対し、光源ホルダ１１１の斜面を持つ第１側面１１５と、光学基台１１０上に形成されたリブ１３１との空隙１３２に塗布された紫外線硬化樹脂１４０で固定されている。【００８１】  このような構成とすることで、光ピックアップに例えば落下衝撃のような外的要因、例えば光源ホルダ１１１を基台１１０から脱落させようとする力１０５が作用した場合において、紫外線硬化樹脂１４０の変形もしくは破壊が起こらなかった場合、光源ホルダ１１１が光学基台１１０から外れるためには、傾斜面１１５ａである第１側面１１５の傾斜方向に起因して、光源ホルダ１１１自身が変形もしくは破壊されなければならない。よって、光源ホルダ１１１を金属材料や樹脂材料のように強度の高い材料で構成していれば、光源ホルダ１１１の光学基台１１０に対する固定性能を強化することができる効果がある。【００８２】  また、本実施の形態３において、光源ホルダ１１１は、実施の形態２と同様、光源あおりホルダ１１２１と光軸調整ホルダ１１２２で構成され、光軸調整ホルダ１１２２の第１側面１１５に本実施の形態３と同様の斜面を形成してもよい。このような構成とすることで、本実施の形態３においても実施形態１及び実施形態２と同様の効果を得ることができる。
又、当該実施形態３においても、上述した図２Ｂ〜図２Ｊに示す変形例の構成を採ることもできる。【００８３】  （実施の形態４）
図５Ａ及び図５Ｂは、本発明の実施の形態４における光ピックアップの構成のうち、光源部分の構造を示す断面図である。図５Ａ及び図５Ｂにおいて図１等と同じ構成については同じ符号を用い説明を省略する。【００８４】  本実施の形態４では、光源ホルダ１１１にレーザ光源１０１に加えて、光源１０１の光出射側に光学素子１０２を一体的に搭載している。当該実施形態４では、光学素子１０２の一例として、ビーム整形素子を用いている。光源１０１から出射されるレーザ光１０１ｃは、楕円形の遠視野像を形成する。上記ビーム整形素子は、光源１０１から出射され楕円形状となるレーザ光１０１ｃの強度分布をほぼ円形に整形する、ガラス部材にてなる素子であり、当該実施形態４では、当該ビーム整形素子の光入射側面１０２ａは、非円筒面形状にてなり、光出射側面１０２ｂは、円筒面形状にてなる。尚、光入射側面１０２ａ及び光出射側面１０２ｂの形状は、上述の形態に限らず、両面とも円筒面形状又は非円筒面形状であってもよい。【００８５】  このような構成とすることで、ビーム整形素子１０２をレーザ光源１０１の直近に配置することができ、光ピックアップの環境温度変化時に光源ホルダ１１１が熱膨張した場合でも、レーザ光源１０１とビーム整形素子１０２間の距離の変化は、微小で済むといった効果がある。【００８６】  本実施の形態４においても、基台１１０は、保持部１３０を有し、光源ホルダ１１１と光学基台１１０とは、光学基台１１０上に形成されたリブ１３１と光源ホルダ１１１間の空隙１３２に塗布された硬化型樹脂１４０によって固定されており、実施の形態１と同様の効果を得られている。特に本実施の形態４のように、光源ホルダ１１１上に、レーザ光源１０１以外の例えば光学レンズを同時に搭載する場合には、光源ホルダ全体の重量が大きくなり、特に落下衝撃のような外的要因が作用する場合で、光学基台１１０と光源ホルダ１１１との固定部に相対的に大きな破壊力がかかる構成においても、光源ホルダ１１１が光学基台１１０に対して位置ずれを生じにくいといった効果がある。【００８７】  又、実施形態１にて説明したように、保持部１３０を設けたことによる光源１０１の放熱性が良好になるという効果は、当該実施形態４でも奏することができる。
又、当該実施形態４においても、上述した図２Ｂ〜図２Ｊ、図３Ａ〜図３Ｄ、及び図４に示す変形例の構成を採ることもできる。図５Ｂは、図３Ａ及び図３Ｂに示す構成に、光学素子１０２を追加した構成を図示したものである。【００８８】  又、上述した実施形態１〜４では、接着剤１４０は、隙間１３２からあふれない状態にて塗布している。しかしながら、接着剤１４０の塗布量を制限しなければ、保持部１３０に備わる壁面１３０ａ、及び光源ホルダ１１１の第１側面１１５を乗り越えて隙間１３２からあふれて存在してもよい。例えば実施形態１の場合を例に採ると、図１５に示すように、隙間１３２から、リブ１３１の上面１３１ａ、及び光源ホルダ１１１の第１側面１１５−２まで存在するように、接着剤１４０を塗布してもよい。
このような塗布量にて接着剤１４０を設けることで、より強固に保持部１３０に光源１０１又は光源付光源ホルダ１１１を固定することができ、又、光源１０１又は光源付光源ホルダ１１１から保持部１３０つまり基台１１０への放熱性を高めることができる。【００８９】  （実施の形態５）
次に、上述の実施形態１〜４のいずれかにおける光ピックアップ装置を用いた、本発明の他の実施形態である光情報装置について、図６を参照して説明する。
図６において、光情報装置１５０は、上述の実施形態１〜４のいずれかにおける光ピックアップ装置１００と、ＣＤ及びＤＶＤを含む光情報媒体としての光ディスク７を載置するターンテーブル１５２ａ、及び光ディスク７を回転させるモータ１５２ｂを有するディスク回転系１５２と、上記光ピックアップ装置１００から得られる信号を受け、上記信号に基づいて上記モータ１５２ｂ及び光源１０１の制御及び駆動を行う制御駆動回路１５３とを備える。尚、光ピックアップ装置１００には、上記キャリッジ１０７を光ディスク７の半径方向に移動させる駆動装置１５１が備わる。【００９０】  このように構成される光情報装置１５０において、光ディスク７は、ターンテーブル１５２ａに乗せられ、モータ１５２ｂによって回転される。光ピックアップ装置１００は、上記光ディスク７の所望の情報が存在するトラックのところまで、光ピックアップの駆動装置１５１によって粗動される。【００９１】  上記光ピックアップ装置１００は、また、光ディスク７との位置関係に対応して、フォーカスエラー（焦点誤差）信号やトラッキングエラー信号を制御駆動回路１５３へ送る。制御駆動回路１５３は、このフォーカスエラー信号やトラッキングエラー信号に対応して、光ピックアップ装置１００へ、当該光ピックアップ装置１００のキャリッジ１０７に搭載されている対物レンズを微動させるための信号を送る。この対物レンズ移動信号によって、上記光ピックアップ装置１００は、上記光ディスク７に対してフォーカス制御と、トラッキング制御を行う。よって、上記光ピックアップ装置１００は、光ディスク７から情報の読みだし、さらに光ディスク７への情報の書き込み（記録）や消去を行うことができる。【００９２】  尚、当該光情報装置１５０は、ＢＤ用の光ピックアップと、ＣＤ及びＤＶＤ用の光ピックアップとを一体的に形成した光ピックアップ装置１００を備えるが、ＤＶＤ用、ＣＤ用、ＢＤ用のそれぞれ専用の光ピックアップ装置を備えた光情報装置１５０であってもよいし、これら３種類を任意に組み合わせてなる光ピックアップ装置を備えた光情報装置１５０であってもよい。【００９３】  以下には、上記実施形態５にて説明した光情報装置１５０を備えた光情報記録再生装置における種々の形態について説明する。上述の実施の形態５の光情報装置１５０を具備した、あるいは、上述の記録・再生方法を採用したコンピュータや、光ディスクプレーヤ、光ディスクレコーダは、異なる種類の光ディスクを安定に記録あるいは再生できるので、広い用途に使用できるという効果を有するものとなる。尚、当該光情報記録再生装置は、必ずしも情報の記録及び再生を行わなくても良く、少なくとも情報の再生が可能な装置であればよい。【００９４】  （実施の形態６）
上記光情報記録再生装置の一例として、実施の形態５に記した光情報装置１５０を具備した、コンピュータシステムの実施の形態を示す。【００９５】  図７において、コンピュータシステム１６０は、実施の形態５の光情報装置１５０と、情報の入力を行うためのキーボードあるいはマウス、タッチパネルなどを有する入力装置１６１と、該入力装置１６１から入力された情報や、上記光情報装置１５０から読み出した情報などに基づいて演算を行う中央演算装置（ＣＰＵ）などの演算装置１６２と、該演算装置１６２によって演算された結果などの情報を表示するブラウン管や液晶表示装置、プリンターなどの出力装置１６３を備える。尚、当該コンピュータシステム１６０において、上記入力装置１６１は必須の構成部分ではない。【００９６】  （実施の形態７）
上記光情報記録再生装置の他の例として、実施の形態５に記した光情報装置１５０を具備した、光ディスクプレーヤの実施の形態について図８を用いて説明する。【００９７】  図８において、光ディスクプレーヤ１７０は、実施の形態５の光情報装置１５０と、該光情報装置１５０から得られる光ディスク７の情報信号を画像に変換する、情報から画像への変換装置、例えばデコーダー１７１とを有する。また、本構成は、カーナビゲーションシステムとしても利用できる。また、液晶モニターなどの表示装置１７２を加えた形態も可能である。【００９８】  （実施の形態８）
上記光情報記録再生装置の他の例として、実施の形態５に記した光情報装置１５０を具備した光ディスクレコーダの実施の形態について、図９を参照して以下に説明する。【００９９】  図９において、光ディスクレコーダ１７５は、実施の形態５の光情報装置１５０と、画像情報を、上記光情報装置１５０によって光ディスク７へ記録する情報に変換する、画像から情報への変換装置、例えばエンコーダー１７６とを有する。望ましくは、上記光情報装置１５０から得られる、光ディスク７の情報信号を画像に変換する、情報から画像への変換装置、例えばデコーダー１７７も有することにより、光ディスク７において既に記録した部分を再生することも可能となる。又、記録する、あるいは再生した情報を表示するブラウン管や液晶表示装置、プリンターなどの出力装置１７８を備えてもよい。【０１００】  （実施の形態９）
上記光情報記録再生装置の他の例として、実施の形態５に記した光情報装置１５０を具備した情報サーバーについて、図１０を参照して以下に説明する。
図１０において、情報サーバー１８０は、実施の形態５に記した光情報装置１５０と、入出力端子１８１とを備える。入出力端子１８１は、ネットワーク１８２に接続され、光情報装置１５０を介して光ディスク７に記録する情報を取り込む、又は、光情報装置１５０によって光ディスク７から読み出した情報をネットワーク１８２に出力する、有線または無線用の入出力端子である。これによって、情報サーバー１８０は、ネットワーク１８２、すなわち、複数の機器、例えば、コンピュータ、電話、テレビチュウナー、などと情報をやりとりし、これら複数の機器から共有の情報サーバ、つまり光ディスクサーバとして利用することが可能となる。光情報装置１５０がＢＤ用の光ピックアップ、並びに、ＣＤ及びＤＶＤ用の光ピックアップを備えた場合には、当該情報サーバー１８０は、異なる種類の光ディスク７を安定に記録あるいは再生できるので、広い用途に使用できる効果を有するものとなる。情報を表示するブラウン管や液晶表示装置、プリンターなどの出力装置１６３を備えてもよい。又、情報の入力を行うためのキーボードあるいはマウス、タッチパネルなどを有する入力装置１６１を備えることもできる。【０１０１】  さらに、複数の光ディスク７を光情報装置１５０に出し入れするチェンジャー１８３を具備することにより、多くの情報を記録・蓄積できる効果を得ることができる。【０１０２】  なお、上述の実施の形態６〜９において、図７〜図１０には出力装置１６３、１７８や液晶モニター１７２を示したが、出力端子を備えて、出力装置１６３、１７８や液晶モニター１７２は持たず、別売りとする商品形態があり得ることはいうまでもない。また、図８と図９には、入力装置は図示していないが、キーボードやタッチパネル、マウス、リモートコントロール装置など入力装置を具備した商品形態も可能である。逆に、上述の実施の形態６〜９において、入力装置は別売りとして、入力端子のみを持った形態も可能である。【０１０３】  尚、上述した各実施形態１〜９を適宜組み合わせることで、光ピックアップ装置、光情報装置、及び光情報記録再生装置を構成することもできる。【０１０４】  明細書、特許請求の範囲、図面、要約書を含む２００５年４月２８日に出願された日本特許出願第２００５−１３１９５７号に開示されたものの総ては、参考としてここに総て取り込まれるものである。【０１０５】  本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【０１０６】  本発明は、光ピックアップにより光情報記録媒体に光を照射して情報の記録及び／または再生を行う光情報記録再生装置に関するものであり、光ディスクを利用するコンピュータからＡＶ機器まで、幅広い産業分野で利用することができ、その産業上の利用可能性は非常に広く且つ大きい。
【図１】
2006118037.tif 000003
【図２Ａ】
2006118037.tif 000004
【図２Ｂ】
2006118037.tif 000005
【図２Ｃ】
2006118037.tif 000006
【図２Ｄ】
2006118037.tif 000007
【図２Ｅ】
2006118037.tif 000008
【図２Ｆ】
2006118037.tif 000009
【図２Ｇ】
2006118037.tif 000010
【図２Ｈ】
2006118037.tif 000011
【図２Ｉ】
2006118037.tif 000012
【図２Ｊ】
2006118037.tif 000013
【図３Ａ】
2006118037.tif 000014
【図３Ｂ】
2006118037.tif 000015
【図３Ｃ】
2006118037.tif 000016
【図３Ｄ】
2006118037.tif 000017
【図４】
2006118037.tif 000018
【図５Ａ】
2006118037.tif 000019
【図５Ｂ】
2006118037.tif 000020
【図６】
2006118037.tif 000021
【図７】
2006118037.tif 000022
【図８】
2006118037.tif 000023
【図９】
2006118037.tif 000024
【図１０】
2006118037.tif 000025
【図１１】
2006118037.tif 000026
【図１２Ａ】
2006118037.tif 000027
【図１２Ｂ】
2006118037.tif 000028
【図１３】
2006118037.tif 000029
【図１４】
2006118037.tif 000030
【図１５】
2006118037.tif 000031
【図１６】
2006118037.tif 000032
【図１７】
2006118037.tif 000033
【図１８】
2006118037.tif 000034
【図１９】
2006118037.tif 000035
【手続補正書】
【提出日】平成18年8月24日(2006.8.24)
【手続補正１】
【補正対象書類名】特許請求の範囲
【補正対象項目名】請求の範囲
【補正方法】変更
【補正の内容】
【書類名】請求の範囲
【請求項１】  基台（１１０）と、上記基台に取り付けられ光情報媒体（７）へ照射する光を出射する光源（１０１）とを備え、上記光情報媒体との間で少なくとも情報の読み取りを行う光ピックアップ装置において、
上記基台は、上記光源を保持し該光源を当該基台に固定する接着剤（１４０）が塗布され、かつ上記光源にて発生した熱を当該基台へ伝達する保持部（１３０）を有し、
上記保持部は、上記光源の第１側面（１１５）に対して隙間（１３２）を介して対向し上記熱を上記接着剤を介して間接的に上記基台へ伝導し放散する壁面（１３０ａ）と、上記光源の第２側面（１１６）に接触し上記熱を直接に上記基台へ伝導し放散する座面（１３０ｂ）とを有し、
上記光源の上記第２側面を上記保持部の上記座面に接触させて上記光源を上記保持部に保持した状態において、上記接着剤は、上記隙間に充填されて上記第１側面と上記壁面とに接触して上記保持部に上記光源を固定する、
光ピックアップ装置。
【請求項２】  基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、
上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、
上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、
上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、
光ピックアップ装置。
【請求項３】  上記保持部は、上記基台に突設され上記壁面を有する突出部材（１３１）を有する、請求項２記載の光ピックアップ装置。
【請求項４】  上記突出部材は、突出方向（１１０ｂ）に沿って上記基台から突出する柱部（１３１１）と、上記突出方向に直交する直交方向に沿って上記柱部から上記光源ホルダ側へ延在する腕部（１３１２）とを有する、請求項３記載の光ピックアップ装置。
【請求項５】  上記光源ホルダ（１１２）が光軸調整部材（１１２２）及びあおり調整部材（１１２１）を有する構成において、上記腕部は、上記あおり調整部材から当該腕部への熱伝導が可能となる上記あおり調整部材の近傍位置（１３１３）まで延在する、請求項４記載の光ピックアップ装置。
【請求項６】  上記保持部は、上記基台に形成され上記壁面及び上記座面を有する凹部（１３３）にて形成される、請求項２記載の光ピックアップ装置。
【請求項７】  上記保持部は、上記基台に突設する突出部材（１３１）及び上記基台に形成した凹部（１３３）にて形成される、請求項２記載の光ピックアップ装置。
【請求項８】  上記隙間は、上記光源を保持した上記光源ホルダの取付位置調整後においても、上記接着剤の充填を可能とする大きさを有する、請求項２記載の光ピックアップ装置。
【請求項９】  上記第１側面は、上記光源から出射する光の光軸に沿って光が進行する方向（１０１ｄ）に向かい広がる傾斜面（１１５ａ）にてなり、上記第２側面は、上記光の進行方向に直交若しくはほぼ直交する方向に延在する平面である、請求項２記載の光ピックアップ装置。
【請求項１０】  上記光源を保持した上記光源ホルダは、上記光源の光出射側に光学素子（１０２）を有する、請求項２記載の光ピックアップ装置。
【請求項１１】  上記光学素子は、光の入射側及び出射側が円筒面若しくは非円筒面でガラス部材にてなるビーム整形素子である、請求項１０記載の光ピックアップ装置。
【請求項１２】  上記光源ホルダは金属材料で構成される、請求項２記載の光ピックアップ装置。
【請求項１３】  上記接着剤は硬化型樹脂で構成される、請求項２記載の光ピックアップ装置。
【請求項１４】  基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置。
【請求項１５】  基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置（１５０）と、
上記光情報装置から得られた情報に基づいて演算を行う演算装置（１６２）と、
上記光情報装置から得られた情報、及び上記演算装置による演算結果を出力する出力装置（１６３）と、を備えた光情報記録再生装置。
【請求項１６】  基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置（１５０）と、
上記光情報装置から得られる情報を画像に変換する、情報から画像へのデコーダー（１７１）とを備えた光情報記録再生装置。
【請求項１７】  上記光情報記録再生装置はカーナビゲーションシステムである、請求項１６記載の光情報記録再生装置。
【請求項１８】  基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置（１５０）と、
上記光情報装置により光情報媒体へ記録可能な情報に画像情報を変換する、画像から情報へのエンコーダー（１７６）と、を備えた光情報記録再生装置。
【請求項１９】  基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置（１５０）と、
外部装置（１８２）との情報交換を行うための入出力端子（１８１）と、を備えた光情報記録再生装置。
【請求項２０】  基台（１１０）と、光情報媒体（７）へ照射する光を出射する光源（１０１）を保持しかつ上記基台に取り付けられる光源ホルダ（１１２）とを備え、上記光情報媒体との間で少なくとも情報の読み取りを行う光ピックアップ装置において、
上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、
上記光源ホルダは、光軸調整部材（１１２２）及びあおり調整部材（１１２１）を有し、
上記保持部は、上記光源ホルダにおける光軸調整部材の第１側面（１１５）に対して隙間（１３２）を介して対向し上記光源ホルダの熱を上記接着剤を介して間接的に上記基台へ伝導し放散する壁面（１３０ａ）と、上記光源ホルダにおける光軸調整部材の第２側面（１１６）に接触し上記光源ホルダの熱を直接に上記基台へ伝導し放散する座面（１１６）とを有し、
上記光軸調整部材の上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、
光ピックアップ装置。
【請求項２１】  上記隙間は、１００μｍ以上である、請求項２記載の光ピックアップ装置。
【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
基台（１１０）と、上記基台に取り付けられ光情報媒体（７）へ照射する光を出射する光源（１０１）とを備え、上記光情報媒体との間で少なくとも情報の読み取りを行う光ピックアップ装置において、
上記基台は、上記光源を保持し該光源を当該基台に固定する接着剤（１４０）が塗布され、かつ上記光源にて発生した熱を当該基台へ伝達する保持部（１３０）を有し、
上記保持部は、上記光源の第１側面（１１５）に対して隙間（１３２）を介して対向し上記熱を上記接着剤を介して間接的に上記基台へ伝導し放散する壁面（１３０ａ）と、上記光源の第２側面（１１６）に接触し上記熱を直接に上記基台へ伝導し放散する座面（１３０ｂ）とを有し、
上記光源の上記第２側面を上記保持部の上記座面に接触させて上記光源を上記保持部に保持した状態において、上記接着剤は、上記隙間に充填されて上記第１側面と上記壁面とに接触して上記保持部に上記光源を固定する、
光ピックアップ装置。
【請求項２】
基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、
上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、
上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、
上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、
光ピックアップ装置。
【請求項３】
上記保持部は、上記基台に突設され上記壁面を有する突出部材（１３１）を有する、請求項２記載の光ピックアップ装置。
【請求項４】
上記突出部材は、突出方向（１１０ｂ）に沿って上記基台から突出する柱部（１３１１）と、上記突出方向に直交する直交方向に沿って上記柱部から上記光源ホルダ側へ延在する腕部（１３１２）とを有する、請求項３記載の光ピックアップ装置。
【請求項５】
上記光源ホルダ（１１２）が光軸調整部材（１１２２）及びあおり調整部材（１１２１）を有する構成において、上記腕部は、上記あおり調整部材から当該腕部への熱伝導が可能となる上記あおり調整部材の近傍位置（１３１３）まで延在する、請求項４記載の光ピックアップ装置。
【請求項６】
上記保持部は、上記基台に形成され上記壁面及び上記座面を有する凹部（１３３）にて形成される、請求項２記載の光ピックアップ装置。
【請求項７】
上記保持部は、上記基台に突設する突出部材（１３１）及び上記基台に形成した凹部（１３３）にて形成される、請求項２記載の光ピックアップ装置。
【請求項８】
上記隙間は、上記光源を保持した上記光源ホルダの取付位置調整後においても、上記接着剤の充填を可能とする大きさを有する、請求項２記載の光ピックアップ装置。
【請求項９】
上記第１側面は、上記光源から出射する光の光軸に沿って光が進行する方向（１０１ｄ）に向かい広がる傾斜面（１１５ａ）にてなり、上記第２側面は、上記光の進行方向に直交若しくはほぼ直交する方向に延在する平面である、請求項２記載の光ピックアップ装置。
【請求項１０】
上記光源を保持した上記光源ホルダは、上記光源の光出射側に光学素子（１０２）を有する、請求項２記載の光ピックアップ装置。
【請求項１１】
上記光学素子は、光の入射側及び出射側が円筒面若しくは非円筒面でガラス部材にてなるビーム整形素子である、請求項１０記載の光ピックアップ装置。
【請求項１２】
上記光源ホルダは金属材料で構成される、請求項２記載の光ピックアップ装置。
【請求項１３】
上記接着剤は硬化型樹脂で構成される、請求項２記載の光ピックアップ装置。
【請求項１４】
基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置。
【請求項１５】
基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置（１５０）と、
上記光情報装置から得られた情報に基づいて演算を行う演算装置（１６２）と、
上記光情報装置から得られた情報、及び上記演算装置による演算結果を出力する出力装置（１６３）と、を備えた光情報記録再生装置。
【請求項１６】
基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置（１５０）と、
上記光情報装置から得られる情報を画像に変換する、情報から画像へのデコーダー（１７１）とを備えた光情報記録再生装置。
【請求項１７】
上記光情報記録再生装置はカーナビゲーションシステムである、請求項１６記載の光情報記録再生装置。
【請求項１８】
基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置（１５０）と、
上記光情報装置により光情報媒体へ記録可能な情報に画像情報を変換する、画像から情報へのエンコーダー（１７６）と、を備えた光情報記録再生装置。
【請求項１９】
基台（１１０）と、光情報媒体（７）へ照射する光を出射する光源（１０１）を保持しかつ上記基台に取り付けられる光源ホルダ（１１１、１１２）とを備え、上記光情報媒体との間で少なくとも情報の読み取りを行う光ピックアップ装置において、上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、上記保持部は、上記光源ホルダの第１側面（１１５）に対して隙間（１３２）を介して対向し上記光源ホルダの熱を上記接着剤を介して間接的に上記基台へ伝導し放散する壁面（１３０ａ）と、上記光源ホルダの第２側面（１１６）に接触し上記光源ホルダの熱を直接に上記基台へ伝導し放散する座面（１１６）とを有し、上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、光ピックアップ装置（１００）と、
上記光情報媒体を回転するモータと、
上記光ピックアップ装置から得られる信号を受け、上記信号に基づいて上記モータ及び光源の制御及び駆動を行う制御駆動回路（１５３）と、
を備えた光情報装置（１５０）と、
外部装置（１８２）との情報交換を行うための入出力端子（１８１）と、を備えた光情報記録再生装置。
【請求項２０】
基台（１１０）と、光情報媒体（７）へ照射する光を出射する光源（１０１）を保持しかつ上記基台に取り付けられる光源ホルダ（１１２）とを備え、上記光情報媒体との間で少なくとも情報の読み取りを行う光ピックアップ装置において、
上記基台は、上記光源ホルダを保持し上記光源ホルダを当該基台に固定する接着剤（１４０）が塗布され、かつ上記光源にて発生し上記光源ホルダへ伝導した熱を当該基台へ伝達する保持部（１３０）を有し、
上記光源ホルダは、光軸調整部材（１１２２）及びあおり調整部材（１１２１）を有し、
上記保持部は、上記光源ホルダにおける光軸調整部材の第１側面（１１５）に対して隙間（１３２）を介して対向し上記光源ホルダの熱を上記接着剤を介して間接的に上記基台へ伝導し放散する壁面（１３０ａ）と、上記光源ホルダにおける光軸調整部材の第２側面（１１６）に接触し上記光源ホルダの熱を直接に上記基台へ伝導し放散する座面（１１６）とを有し、
上記光軸調整部材の上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する、
光ピックアップ装置。
【請求項２１】
上記隙間は、１００μｍ以上である、請求項２記載の光ピックアップ装置。
【手続補正２】
【補正対象書類名】明細書
【補正対象項目名】全文
【補正方法】変更
【補正の内容】
【発明の詳細な説明】
【技術分野】
【０００１】
本発明は、光ディスクとの間で少なくとも情報の読み取りが可能な光ピックアップ装置、該光ピックアップ装置を有する光情報装置、及び該光情報装置を有する光情報記録再生装置に関する。
【背景技術】
【０００２】
ディジタルオーディオや画像、動画、コンピュータ等で作成された文書ファイルやデータファイルを記録、保存するための記録媒体は、多種多様だが、その一つに光ディスクがある。中でもＤＶＤ（Ｄｉｇｉｔａｌ  Ｖｅｒｓａｔｉｌｅ  Ｄｉｓｋ）は、従来のＣＤ（Ｃｏｍｐａｃｔ  Ｄｉｓｃ）と比較して高密度かつ大容量にて情報を記録することが可能であり、録画機の分野においても、現在主流であるＶＴＲ（Ｖｉｄｅｏ  Ｔａｐｅ  Ｒｅｃｏｒｄｅｒ）に替わる媒体として普及しつつある。さらに近年、青紫色半導体レーザを用い、記録密度をより一層高めた次世代の光ディスクの研究が各所で進められており、早期の登場が期待されている。また、これらの光ディスクに対して、データの記録・再生を行うためには、光ピックアップ装置が必要である。
【０００３】
図１６に従来の光ピックアップ装置３０に備わる光学系の構成例を示す。光ピックアップ装置３０は、例えば半導体レーザ等を有する光源１と、例えばフォトダイオード等を有する光検出器９とを具備し、光源１から発射された光ビーム２０は、ビーム整形素子２によりビーム整形され、ビームスプリッタ３を通りコリメートレンズ４により平行光に変換され、立上げミラー５により光軸を折り曲げられ、集光レンズ６により光ディスク７上の情報記録面７ａに集光する。光ディスク７の情報記録面７ａ上で反射した光は、逆の経路をたどり、コリメートレンズ４により集光され、ビームスプリッタ３により反射され、光検出器９上に集光する。この光検出器９で光情報を電気信号に変換することにより、光ディスク７に記録されている情報を電気信号として読み取ることが出来る。
【０００４】
また光源１の発光点位置と、コリメートレンズ４の光学的中心点を結ぶ直線を光軸２１と呼び、この光軸２１が集光レンズ６の光学的中心点を通るよう、各々の部品は配置されている。そのため、光ピックアップ装置３０の組み立てに際しては発光点位置すなわち光源１の位置調整による光軸調整が必須であり、かつ調整後に光源１は位置ずれを起こしにくい構造が必須である。
【０００５】
光軸調整後の光源１の固定方法としては、特開２００３−１３２５７０号公報に開示され図１７に示すように、光源１の部材であり光源１を保持するホルダ部材３１を板バネ３２で光学基台３０に固定する方法や、特開２００５−３２３１４号公報や実用新案登録第３０９８７９４号公報に開示され図１８に示すように、光源１を保持するホルダ部材３３を光学基台３４に紫外線硬化樹脂３５を用いて固定する方法が一般的である。
【特許文献１】特開２００３−１３２５７０号公報
【特許文献２】特開２００５−３２３１４号公報
【特許文献３】実用新案登録第３０９８７９４号公報
【発明の開示】
【発明が解決しようとする課題】
【０００６】
しかしながら、従来例の図１７に示すような光源ホルダ部材３１を光学基台３０に板バネ３２で固定する方法では、板バネ３２を光学基台３０に固定するための機構が必要となり、すなわち光源ホルダ部材３１の近傍に大きなスペースが必要となる。これにより光ピックアップ装置が小型化しにくくなるという課題がある。また、この方法では、固定補助部品として板バネ３２が必要なため、光ピックアップ装置を構成する部品点数が増えてしまうという課題もある。
【０００７】
また、従来例の図１８に示すような紫外線硬化樹脂３５を用いて光源ホルダ部材３３を光学基台３４に固定する方法では、落下衝撃など外的要因が加わった場合に、光源ホルダ部材３３にて支持される光源１が光学基台３４に対して位置ずれを起こしたり、光学基台３４からのホルダ部材３３の脱落が発生するという課題がある。図１９を参照して説明すると、光学基台３４と光源ホルダ部材３３とは、光源ホルダ部材３３の裏面３３ａと光学基台３４との間に紫外線硬化樹脂３５を設けて固定されている。よって、上記落下衝撃等により、光源ホルダ部材３３に例えばＹ方向（紙面を貫通する方向）に力が作用した場合、光源ホルダ部材３３の裏面３３ａと紫外線硬化樹脂３５との接着面３５ａ部分のみに剪断力が作用することになり、接着面３５ａで剥離し易く、よって光源ホルダ部材３３の固定力が弱いという課題がある。
【０００８】
さらにまた、近年では光ディスクに対して、より高速にて情報の読み取りさらには書き込みが可能となるように、赤色のレーザ光源における高出力化が進められたり、より大容量の情報の読み書きが可能となるようにレーザ光の短波長化、つまり青色レーザ光の採用が進められたりしている。これに伴い、レーザ光源における発熱量が従来に比べて大きくなってきている。許容を超える発熱は、発光及び照射光の安定性に影響することから、光ピックアップ装置におけるレーザ光源の除熱を行うことも重要な課題になってきている。
【０００９】
本発明では上記課題を解決し、光ピックアップ装置の小型化・少部品点数化を達成しつつも、落下衝撃などの外的要因に対しても耐久性が高く、さらに光源の放熱性が良い光ピックアップ装置、及び該光ピックアップ装置を備えた光情報装置、及び該光情報装置を備えた光情報記録再生装置を提供することを目的とする。
【課題を解決するための手段】
【００１０】
上記目的を達成するため、本発明は以下のように構成する。
即ち、本発明の第１態様の光ピックアップ装置は、基台と、上記基台に取り付けられ光情報媒体へ照射する光を出射する光源とを備え、上記光情報媒体との間で少なくとも情報の読み取りを行う光ピックアップ装置において、
上記基台は、上記光源を保持し該光源を当該基台に固定する接着剤が塗布され、かつ上記光源にて発生した熱を当該基台へ伝達する保持部を有し、
上記保持部は、上記光源の第１側面に対して隙間を介して対向し上記熱を上記接着剤を介して間接的に上記基台へ伝導し放散する壁面と、上記光源の第２側面に接触し上記熱を直接に上記基台へ伝導し放散する座面とを有し、
上記光源の上記第２側面を上記保持部の上記座面に接触させて上記光源を上記保持部に保持した状態において、上記接着剤は、上記隙間に充填されて上記第１側面と上記壁面とに接触して上記保持部に上記光源を固定する。
【００１１】
又、本発明の第２態様の光ピックアップ装置は、基台と、光情報媒体へ照射する光を出射する光源を保持しかつ上記基台に取り付けられる光源ホルダとを備え、上記光情報媒体との間で少なくとも情報の読み取りを行う光ピックアップ装置において、
上記基台は、上記光源ホルダを保持し上記光源ホルダを当該基台に固定する接着剤が塗布され、かつ上記光源にて発生し上記光源ホルダへ伝導した熱を当該基台へ伝達する保持部を有し、
上記保持部は、上記光源ホルダの第１側面に対して隙間を介して対向し上記光源ホルダの熱を上記接着剤を介して間接的に上記基台へ伝導し放散する壁面と、上記光源ホルダの第２側面に接触し上記光源ホルダの熱を直接に上記基台へ伝導し放散する座面とを有し、
上記光源ホルダの上記第２側面を上記保持部の上記座面に接触させて上記光源ホルダを上記保持部に保持した状態において、上記接着剤は、上記隙間に充填されて上記第１側面と上記壁面とに接触して上記保持部に上記光源ホルダを固定する。
【００１２】
上記第２態様において、上記保持部は、上記基台に突設され上記壁面を有する突出部材を有することもできる。
【００１３】
上記第２態様において、上記突出部材は、突出方向に沿って上記基台から突出する柱部と、上記突出方向に直交する直交方向に沿って上記柱部から上記光源ホルダ側へ延在する腕部とを有することもできる。
【００１４】
上記第２態様において、上記光源ホルダが光軸調整部材及びあおり調整部材を有する構成において、上記腕部は、上記あおり調整部材から当該腕部への熱伝導が可能となる上記あおり調整部材の近傍位置まで延在することもできる。
【００１５】
上記第２態様において、上記保持部は、上記基台に形成され上記壁面及び上記座面を有する凹部にて形成することもできる。
【００１６】
上記第２態様において、上記保持部は、上記基台に突設する突出部材及び上記基台に形成した凹部にて形成することもできる。
【００１７】
上記第２態様において、上記隙間は、上記光源を保持した上記光源ホルダの取付位置調整後においても、上記接着剤の充填を可能とする大きさを有することもできる。
【００１８】
上記第２態様において、上記第１側面は、上記光源から出射する光の光軸に沿って光が進行する方向に向かい広がる傾斜面にてなり、上記第２側面は、上記光の進行方向に直交若しくはほぼ直交する方向に延在する平面であってもよい。
【００１９】
上記第２態様において、上記光源を保持した上記光源ホルダは、上記光源の光出射側に光学素子を有することもできる。
【００２０】
上記第２態様において、上記光学素子は、光の入射側及び出射側が円筒面若しくは非円筒面でガラス部材にてなるビーム整形素子であってもよい。
【００２１】
上記第２態様において、上記光源ホルダは金属材料で構成することもできる。
【００２２】
上記第２態様において、上記接着剤は硬化型樹脂で構成することもできる。
【００２３】
さらに、本発明の第３態様の光情報装置は、上記第１態様又は上記第２態様における光ピックアップ装置と、
上記光情報媒体を回転するモータと、
上記光ピックアップ装置から得られる信号を受け、上記信号に基づいて上記モータ及び光源素子の制御及び駆動を行う制御駆動回路と、を備えた。
【００２４】
さらに本発明の第４態様の光情報記録再生装置は、上記第３態様の光情報装置と、
上記光情報装置から得られた情報に基づいて演算を行う演算装置と、
上記光情報装置から得られた情報、及び上記演算装置による演算結果を出力する出力部と、を備えた。
【００２５】
このように構成される第４態様の光情報記録再生装置は、コンピュータシステムを構成することができる。
【００２６】
さらに本発明の第５態様の光情報記録再生装置は、上記第３態様の光情報装置と、
上記光情報装置から得られる情報信号を画像に変換する、情報から画像へのデコーダーとを備えた。
【００２７】
このように構成される第５態様の光情報記録再生装置は、光情報媒体プレーヤを構成することができる。
【００２８】
上記第５態様において、上記光情報記録再生装置はカーナビゲーションシステムであってもよい。
【００２９】
さらに本発明の第６態様の光情報記録再生装置は、上記第３態様の光情報装置と、
上記光情報装置により光情報媒体へ記録可能な情報に画像情報を変換する、画像から情報へのデコーダーと、を備えた。
【００３０】
このように構成される第６態様の光情報記録再生装置は、光情報媒体レコーダを構成することができる。
【００３１】
さらに本発明の第７態様の光情報記録再生装置は、上記第３態様の光情報装置と、
外部装置との情報交換を行うための入出力端子と、を備えた。
【００３２】
このように構成される第７態様の光情報記録再生装置は、光ディスクサーバーを構成することができる。
【発明の効果】
【００３３】
本発明の第１態様及び第２態様における光ピックアップ装置によれば、基台は保持部を有することから、板バネのような補助部品を使用せずに光源又は光源ホルダを基台に固定することができ、光ピックアップ装置を小型化できるといった効果がある。また、光学基台上に形成された保持部と、光源及び光源ホルダとの空隙に、例えば紫外線硬化樹脂の接着剤を塗布することから、小さなスペースで光学基台と、光源及び光源ホルダとへの接着剤の接触面積を大きくすることが出来る。すなわち光学基台への光源及び光源ホルダの固定強度を高められるため、落下衝撃などの外的要因に対して耐久性を高めることが出来るといった効果がある。
【００３４】
又、上記保持部は、壁面及び座面を有することから、光学素子及び光源ホルダにて発生した熱を効果的に基台へ伝導し放散することができる。
【００３５】
又、本発明の第３態様の光情報装置、第４態様から第７態様における光情報記録再生装置では、上述した光ピックアップ装置を有することから、従来に比べて耐久性、及び光源部分の放熱性が優れた装置を提供することが可能である。
【発明を実施するための最良の形態】
【００３６】
以下に本発明の実施形態である光ピックアップ装置、光情報装置、及び光情報記録再生装置について、図面を参照しながら説明する。尚、各図において、同じ構成部分については同じ符号を付している。
【００３７】
上記実施形態における光ピックアップ装置は、光情報媒体の一例であるＣＤ及びＤＶＤとの間で少なくとも情報の読み取りを行う、好ましくは情報の読み書きを行う装置である。該光ピックアップ装置による情報の再生及び記録動作については、上述した従来の光ピックアップ装置３０にて行われる動作に同じであり、ここでの説明は省略する。尚、図１１には、上述のような光ピックアップ装置の一例における主要部分である、いわゆるキャリッジ１０７の部分を図示している。該キャリッジ１０７には、青色レーザを使用し図示の左側半分に配置されている光学系１０８を有するＢＤ（ブルーレイディスク）用の光ピックアップと、図示の右側半分に配置されている光学系１０９を有するＣＤ及びＤＶＤ用の光ピックアップとが一つの光学基台１１０に載置されている。又、キャリッジ１０７は、光ピックアップ装置１００に備わる複数の案内シャフト１０６にて、ＣＤ及びＤＶＤの直径方向に沿って移動可能に支持される。上述のように図１１は、ＢＤ用と、ＣＤ及びＤＶＤ用の光ピックアップとを一体的に形成した光ピックアップ装置１００を図示するが、光ピックアップ装置の形態はこれに限定するものではなく、ＤＶＤ用、ＣＤ用、ＢＤ用のそれぞれ専用の光ピックアップ装置であってもよいし、これら３種類を任意に組み合わせてなる光ピックアップ装置であってもよい。尚、以下に説明する各実施形態１〜４では、上記光ピックアップ装置１００に備わるＢＤ用の光ピックアップを例に採り、その光源部分について説明を行う。しかしながら、以下の各実施形態１〜４の説明は、ＢＤ用に限定するものではなく、ＣＤ、ＤＶＤ用にも勿論適用可能である。
【００３８】
（実施の形態１）
図１は、本発明の実施の形態１における光ピックアップ装置の構成のうち、光源部分の構造を示す斜視図である。簡単のため、光ピックアップ装置を構成する他の部品は、図示を省略する。
【００３９】
図１において、１０１は、光情報媒体へ波長λ（３９０ｎｍ〜４１５ｎｍ：代表として４０５ｎｍとする）のレーザ光１０１ｃを出射するレーザ光源、１１１はレーザ光源１０１を保持し上記光学基台１１０に取り付けられる光源ホルダである。
【００４０】
レーザ光源１０１は、好ましくは半導体レーザ光源とすることにより、光ピックアップ及びこれを用いた光情報装置を小型、軽量、低消費電力にできる効果がある。
【００４１】
レーザ光源１０１は、例えば図２Ａに示すように、好ましくは光源１０１を包囲する光源ホルダ１１１に、例えば紫外線硬化樹脂のような接着剤を用いて固定するのが良い。これにより、レーザ光源１０１自身の外形に外的負荷を掛けることないため、製品の信頼性を高められるといった効果がある。
【００４２】
光源ホルダ１１１は、好ましくはアルミニウムや亜鉛のような金属材料で構成されることにより、光ピックアップに落下衝撃などの外的要因が加わった場合でも、ホルダ自身が変形や破壊を起こしにくいといった効果がある。又、金属材料で構成することで、発熱源である光源１０１から発した熱が効率よく光源ホルダ１１１に伝導でき、光源１０１の放熱性を高めることができる。
【００４３】
光学基台１１０には、光源ホルダ１１１を当該基台１１０に保持し光源ホルダ１１１を当該基台１１０に固定する接着剤１４０が塗布されるとともに、光源１０１にて発生し光源ホルダ１１１へ伝導した熱を当該基台１１０へ伝達する保持部１３０が備わる。
【００４４】
保持部１３０は、光源ホルダ１１１の第１側面１１５に対して隙間１３２を介して対向し光源ホルダ１１１の熱を、接着剤１４０を介して間接的に基台１１０へ伝導し放散する壁面１３０ａと、光源ホルダ１１１の第２側面１１６に接触し光源ホルダ１１１の熱を直接に基台１１０へ伝導し放散する座面１３０ｂとを有する。
【００４５】
上述のような構成を有する保持部１３０の一形態例を図１及び図２Ａに示す。この形態では、上記基台１１０に突設され突出部材の一例に相当するリブ１３１を、光源ホルダ１１１を挟むように対向して２つ配置することで形成される収納部にて、保持部１３０が構成される。この形態において、保持部１３０が有する壁面１３０ａは、リブ１３１における、光源ホルダ１１１の第１側面１１５に対して隙間１３２を介して対向する、壁面が相当する。又、保持部１３０が有する座面１３０ｂは、光源ホルダ１１１の第２側面１１６に接触する、基台１１０の外表面が相当する。
【００４６】
上述のような構成を有する保持部１３０では、光源ホルダ１１１の第２側面１１６を保持部１３０の座面１３０ｂに接触させて光源ホルダ１１１を保持部１３０に保持した状態において、接着剤１４０は、隙間１３２に充填されて第１側面１１５と壁面１３０ａとに接触して保持部１３０に光源ホルダ１１１を固定する。
【００４７】
このように保持部１３０を設けることで、隙間１３２に充填された接着剤１４０にて、光源１０１付の光源ホルダ１１１を基台１１０に固定することができ、さらに、光源ホルダ１１１は、上記壁面１３０ａと隙間１３２を介して対向しかつ隣接し、かつ上記座面１３０ｂと直接に接触することから、保持部１３０は、光源ホルダ１１１の熱を効率よく除去するように作用する。
【００４８】
以下に説明するように、隙間１３２は、微小な値にてなる空間であるので、光源ホルダ１１１の第１側面１１５と保持部１３０の壁面１３０ａとは対向して近接することになる。よって、上述のように壁面１３０ａを介して基台１１０への光源ホルダ１１１の放熱効果を高めることができる。
又、隙間１３２の大きさは、以下に説明するような根拠に基づき決定されるが、さらに、光源ホルダ１１１の第１側面１１５から壁面１３０ａへの放熱性を良好とする観点からも隙間１３２の大きさを決定することもできる。
【００４９】
保持部１３０に収納される光源ホルダ１１１は、光学基台１１０に対し、上記第２側面１１６と上記座面１３０ｂとの平面で接触しており、図１の上下左右に自由に摺動することで光ピックアップの組み立て時に光軸調整を行うことができる構造となっている。又、上記隙間１３２は、上述の光軸調整を行った後においても接着剤１４０が充填可能な大きさを有する。各隙間１３２の具体値の一例としては、１００μｍ前後から１ｍｍ以下である。これらの値は、上記光軸調整に由来するもので、光源１０１における発光点つまりレーザ素子が少なくとも８０μｍ程度の位置誤差を有すること、及び光源部分の製造上の製作誤差、等から求められる。
【００５０】
上記接着剤１４０は、例えば紫外線硬化樹脂にてなり、隙間１３２に充填されることで、少なくともリブ１３１の側面１３０ａと光源ホルダ１１１の第１側面１１５との２面に接して連続して存在しており、光学基台１１０上のスペースを大きく占有することなく、接触面積を広く取ることができる。よって、光ピックアップに例えば落下衝撃のような外的要因が、図１のＸ，Ｙ方向に作用した場合でも、光源ホルダ１１１は、光学基台１１０に対し位置ずれを生じず、すなわち光源１０１の位置ずれによる光軸調整後の光軸は、ずれを生じないといった効果がある。又、上記外的要因がＺ方向に作用した場合でも、同様に、光源ホルダ１１１は、光学基台１１０に対し位置ずれを生じず、いわゆる焦点ズレが発生することもない。尚、上記Ｚ方向とは、光源１０１から出射されるレーザ光の光軸方向に一致又はほぼ一致する方向である。
【００５１】
また、本実施の形態１において、紫外線硬化樹脂の接着剤１４０は、リブ１３１の壁面１３０ａと光源ホルダ１１１の第１側面１１５に接しているとしたが、光学基台１１０や他の部品や、リブ１３１の他の面や光源ホルダ１１１の他の面に接していてもよい。又、接着剤１４０は、図１に示すように、光源ホルダ１１１の四隅に対応した場所に点在させているが、該態様に限定するものではなく、塗布量の制限を設けなければ例えば隙間１３２の全領域に充填してもよい。
【００５２】
また、本実施の形態１において、紫外線硬化樹脂の接着剤１４０（以下、「紫外線硬化樹脂１４０」と記す場合もある。）を固定用に用いているが、熱硬化樹脂や嫌気性樹脂、湿気硬化樹脂などの、流動性の樹脂に外的要因を加えることで硬化をするような硬化型樹脂であってもよく、また、同様の効果を得られる接着剤であってもよい。さらに、放熱の点から、熱伝導性の高い物質であるのがより好ましい。
【００５３】
また、本実施の形態１において、光学基台１１０上に形成されたリブ１３１は、基台１１０と一体的に成形しているが、これに限定されるものではなく、別の支持部材を光学基台１１０に対し溶接や接着などの方法で固定される構成であっても、同様の効果が得られる。
【００５４】
また、本実施の形態１において、光源ホルダ１１１の第２側面１１６は、光学基台１１０の座面１３０ｂに対し平面で接触しているとしたが、図２Ｂ及び図２Ｃに示すように、点で接触や線で接触や、もしくは接触していなくともよい。尚、これらの接触形態は、面接触に比べて放熱性の点では劣るが、接触面積が小さいことから、光源ホルダ１１１の光軸調整時における光源ホルダ１１１の摺動性が良いという利点がある。
【００５５】
又、上記第１側面１１５は、上述のように保持部１３０の壁面１３０ａに対向する側面であることから、図２Ａに２点鎖線にて記すように例えば、壁面１３０ａを有する突出部材１３１が光源ホルダ１１１の高さと同じ高さまで突出するときには、第１側面１１５は、符号１１５−３を記した光源ホルダ１１１の側面までも含む概念である。
【００５６】
又、図１に示すようにリブ１３１は、直線状に延在するもの、及び一対存在するものに限定されない。例えば図２Ｄに示すように、光源ホルダ１１１の第１側面１１５の外形状に対応した形状にてなり第１側面１１５を包囲する、例えば円筒形にてなる、リブ１３１−１を形成してもよい。又、リブ１３１、１３１−１を設けることで、基台１１０の剛性を高めることもでき、衝撃等の外的要因に対する基台１１０の強度を向上させることができる。
又、以下に説明するように、保持部１３０を構成する形態は、上記リブ１３１を設ける方法に限定されるものではない。
【００５７】
即ち、図２Ｅに示すように、リブ１３１を形成することなく基台１１０の外表面に単に凹部１３３を形成することで保持部１３０を形成してもよい。この場合、凹部１３３の底面に相当する面が上記座面１３０ｂに対応し、上記底面より立設する凹部１３３の内面１３３１が上記壁面１３０ａに対応する。
【００５８】
又、上述の突出部材及び凹部を組み合わせて、図２Ｆ及び図２Ｇに示すように、突出部材１３１−２と、凹部１３３とにより保持部１３０を形成することもできる。ここで突出部材１３１−２は、光源ホルダ１１１の全長に渡り延在してもよいし、光源ホルダ１１１の全長に渡り延在することなく、図示するように光源ホルダ１１１の一部分のみに対応する形態を採ることもできる。図２Ｆ及び図２Ｇに示す形態では、光源１０１から出射されるレーザ光１０１ｃの光軸１０１ｅに直交するＸ，Ｙ方向の内、Ｙ方向において光源ホルダ１１１のほぼ中央部分に対応して、光源ホルダ１１１の左右両側に一箇所ずつ、突出部材１３１−２を設けている。突出部材１３１−２は、基台１１０の外表面１１０ａから突出方向１１０ｂに沿って突出する柱部１３１１と、突出方向１１０ｂに直交するＸ方向に沿って柱部１３１１から光源ホルダ１１１側へ延在する腕部１３１２とを有し、柱部１３１１及び腕部１３１２は、基台１１０と一体的に成形されている。
【００５９】
尚、このように屈曲した形状を有する突出部材１３１−２及び凹部１３３にて保持部１３０を形成するとき、保持部１３０の壁面１３０ａは、凹部１３３の内面１３３１と、柱部１３１１の壁面１３１１ａと、腕部１３１２の壁面１３１２ａとによって構成される。又、腕部１３１２は、光源ホルダ１１１の一部分を覆うように延在する。一方、光源ホルダ１１１の上記第１側面１１５は、上述のように保持部１３０の壁面１３０ａに対向する側面であることから、この形態では壁面１３１１ａ及び壁面１３１２ａに対向する、符号１１５−１、１１５−２、１１５−３を記した光源ホルダ１１１の側面が上記第１側面１１５に相当する。
【００６０】
又、突出部材１３１−２及び凹部１３３にて保持部１３０を形成した場合、接着剤１４０は、図２Ｇに示すように、突出部材１３１−２における壁面１３１１ａ及び壁面１３１２ａと、これらの壁面に対向する光源ホルダ１１１の第１側面１１５との隙間１３２に設けられる。これに加えてさらに、図１に示すように、凹部１３３の内面１３３１と、該内面１３３１に対向する光源ホルダ１１１の第１側面１１５との隙間１３２にて、例えば光源ホルダ１１１の四隅に対応して、接着剤１４０を設けても良い。
【００６１】
上述のように屈曲した形状にてなる突出部材１３１−２を含み保持部１３０を形成することで、保持部１３０の壁面１３０ａの総面積を、リブ１３１を設けた場合に比べて、より大きくすることができる。したがって、接着剤１４０の塗布可能面積、及び伝熱に寄与する面積が大きくなることから、保持部１３０は、より強固に光源ホルダ１１１を保持することができ、かつ光源ホルダ１１１の除熱効率をより高めることができる。
【００６２】
又、図２Ｆに示す形態の変形例の一つとして、図２Ｈに示すように、２つを超える突出部材１３１−２を設けた構成を採ることもできる。このとき、光源１０１の発光点に対して各突出部材１３１−２を、Ｘ，Ｙ方向に対称な位置に配置することで、光源１０１からの放熱が各方向に均等となり、光源１０１の温度変化を安定化させることができる。又、各突出部材１３１−２による接着箇所がＸ，Ｙ方向に対称な位置に配置され固定点をなすことから、当該光ピックアップ装置の周囲温度の変化により基台１１０及び光源ホルダ１１１に伸縮が生じたときでも、発光点に対する固定点の位置ズレがＸ，Ｙ方向に対称となるので、発光点の位置ズレが生じにくいという効果もある。
【００６３】
又、他の変形例として、図２Ｉに示すように、突出部材１３１−２の腕部１３１２を、光源ホルダ１１１における、発光側とは逆側の根本部分１１７に近接する近傍位置１３１３まで延在させた構成を採ることもできる。ここで、近傍位置１３１３は、光源ホルダ１１１から突出部材１３１−２の腕部１３１２への熱伝導が可能となるような位置とするのが好ましい。
【００６４】
このような構成を採ることで、光源ホルダ１１１の第１側面１１５−１と突出部材１３１−２の壁面１３１１ａとの隙間１３２、及び光源ホルダ１１１の第１側面１１５−３と突出部材１３１−２の壁面１３１２ａとの隙間１３２に接着剤１４０を設けることができる。又、腕部１３１２は、光源ホルダ１１１の根本部分１１７を接着剤１４０を介して支持することになる。したがって、図２Ｇの構成に比べて、より強固に保持部１３０は光源ホルダ１１１を保持、固定することができ、かつ保持部１３０の壁面１３０ａの面積をより大きくすることができ放熱面積をより大きくすることができる。又、発熱部により近い場所から除熱が可能となることから、光源ホルダ１１１の放熱性をより高めることができるという効果もある。
【００６５】
又、上述では、突出部材１３１−２及び凹部１３３にて保持部１３０を形成する構成を述べたが、他の変形例として、図２Ｊに示すように、突出部材１３１−２のみにて保持部１３０を形成する構成を採っても良い。
【００６６】
また、本実施の形態１において、光源１０１は光源ホルダ１１１に保持されているとしたが、図１２Ａ、図１２Ｂ、図１３、及び図１４に示すように、光源１０１そのものが、光源１０１と、光学基台１１０上に形成された保持部１３０との空隙１３２に塗布された紫外線硬化樹脂１４０によって、基台１１０に固定される場合でも、同様の効果が得られる。
【００６７】
ここで、図１２Ａ、図１２Ｂ、及び図１４では、保持部１３０は、基台１１０の外表面に凹部１３３を設けることで保持部１３０を形成したものであり、図１３では、上述の構成と同様に、基台１１０にリブ１３１を設けることで保持部１３０を形成したものである。又、保持部１３０は、図１２Ａ及び図１に示すように直線状に延在する溝形状に限定されず、光源１０１又は光源ホルダ１１１の外形状に対応した形状にてなり、光源１０１又は光源ホルダ１１１の外形状を包囲するような形状、例えば図１４に示すような円形の凹部形状や、図２Ｄに示すように円形の突出部材１３１にて形成される形状等にて形成することもできる。
【００６８】
ここで光源１０１には、保持部１３０の壁面１３０ａと隙間１３２を介して対向し上記第１側面１１５に対応する、第１側面１０１ａと、保持部１３０の座面１３０ｂと直接に接触し上記第２側面１１６に対応する、第２側面１０１ｂとが備わる。
【００６９】
また、本実施の形態１において、光源１０１として例えば波長λのレーザ光を出射するレーザ光源としたが、波長はこれ以外の値であってもよく、また半導体レーザ以外の光源であってもよい。
【００７０】
また、本実施の形態１において、光源１０１は、光源ホルダ１１１に対し紫外線硬化樹脂を用いた固定としているが、光源１０１の外形に大きな負荷を掛けない構成であれば、例えば光源ホルダ１１１に対し光源１０１をしまりばめで挿入してもよく、すきまばめで挿入し板バネなどの別部品で固定してもよい。
【００７１】
また、本実施の形態１において、光源ホルダ１１１は、金属材料で構成されるとしたが、ＰＰＳ（ポリプロスチレン）のような樹脂材料であってもよい。樹脂材で形成することで、金属材料の場合に比べると熱伝導度は良くないが、軽量化を図ることができる。
【００７２】
（実施の形態２）
図３Ａ〜図３Ｄは、本発明の実施の形態２における光ピックアップ装置の構成のうち、光源部分の構造を示す説明図である。図３Ａ〜図３Ｄにおいて、図１または図２Ａ等と同じ構成については同じ符号を用い説明を省略する。
【００７３】
上述の実施形態１では、光源ホルダ１１１は、一つの部材から構成され、設置位置調整のためＸ，Ｙ方向への移動は可能であるが、光軸のいわゆるあおり調整は行えない構造である。これに対し、当該実施形態２では、光源ホルダは、あおり調整を可能とする構造を有する。
即ち、図３Ａ及び図３Ｂに示すように、光源ホルダ１１２は、あおり調整部材の一例に相当する光源あおりホルダ１１２１と、光軸調整部材の一例に相当する光軸調整ホルダ１１２２との２部品で構成されている。
【００７４】
光源１０１は、光源あおりホルダ１１２１に対し、実施の形態１と同様の方法で固定されており、光源あおりホルダ１１２１は、光軸調整ホルダ１１２２に対し揺動可能に接触している。即ち、光源ホルダ１１２は、光軸調整ホルダ１１２２のコーン部に、光源あおりホルダ１１２１の円弧面を嵌め込む構成を有し、上記円弧面は、上記コーン部に対して線接触することから、光源あおりホルダ１１２１は、光軸調整ホルダ１１２２に対し揺動可能となる。
このような構成とすることにより、光源１０１が製作上の発光角の傾きを持っている場合、光源あおりホルダ１１２１を光軸調整ホルダ１１２２に対し、θｘ、θｙ軸にあおり調整することができるため、光源あおりホルダ１１２１ごと発光角を所望の角度に調整することができる。この発光角調整後、光軸調整ホルダ１１２２の第２側面１１６は、上述した光源ホルダ１１１と同様に、光学基台１１０の座面１３０ｂに対し面で接触しており、光軸調整ホルダ１１２２は、図３Ａにおける上下左右に自由に摺動することで光ピックアップの組み立て時に光軸調整を行うことができる構造である。光学基台１１０は、上述のように保持部１３０を有する。尚、図３Ａ及び図３Ｂに示す構成では、図１に示す構成と同様に、保持部１３０の壁面１３０ａを有する、突出部材としてのリブ１３１が設けられる。又、光学基台１１０上に形成されたリブ１３１と光軸調整ホルダ１１２２との間には微小な空隙１３２が設けられており、光軸調整後においても空隙１３２は、上述したように、接着剤１４０が充填可能な程度の大きさを保つ大きさとなっており、この空隙１３２に紫外線硬化樹脂１４０がリブ１３１の壁面１３０ａと光軸調整ホルダ１１２２の第１側面１１５とに接するように塗布されている。尚、符号１１２３を付した部材は、光源あおりホルダ１１２１のサポート部材である。
【００７５】
このような構成とすることで、光ピックアップの組み立て時に光源１０１は、自身の発光角のずれ調整と、光ピックアップの光軸調整を両立しつつ、その調整後では、実施の形態１で示す効果と同様の効果を奏することができる。即ち、光ピックアップに例えば落下衝撃のような外的要因が作用した場合でも、光軸調整ホルダ１１２２は、光学基台１１０に対し位置ずれを生じず、すなわち光源１０１の位置ずれによる光軸調整後の光軸は、ずれを生じないといった効果がある。
【００７６】
又、当該実施形態２においても、上述した図２Ｂ〜図２Ｊに示す変形例の構成を採ることもできる。例えば図３Ｃ、図３Ｄに示す構成は、図２Ｆ、図２Ｉに示す構成に対応する。図３Ｃ、図３Ｄに示す構成では、図２Ｉに示す構成が奏する効果と同様の効果、つまりより強固に保持部１３０は光源ホルダ１１２を保持、固定することができ、かつ保持部１３０の壁面１３０ａの面積をより大きくすることができ放熱面積をより大きくすることができる。特に、光軸のあおり調整は、ＢＤ用の光源にて必要となることから、通常のＣＤ，ＤＶＤ用の光源に比べて発熱量が大きいＢＤ用の光源から効率良く放熱を行うことは重要である。一方、上述のように光軸調整ホルダ１１２２に対し光源あおりホルダ１１２１は、揺動する必要があることから、光源ホルダ１１２は、光軸調整ホルダ１１２２のコーン部と光源あおりホルダ１１２１の円弧面とが接触する構成を有する。よって、光源あおりホルダ１１２１と光軸調整ホルダ１１２２とは線接触しているに過ぎず、発熱源である光源１０１を保持する光源あおりホルダ１１２１から光軸調整ホルダ１１２２、ひいては基台１１０への熱伝導は、良好ではない。
これらの観点から、突出部材１３１−２の腕部１３１２を、光源あおりホルダ１１２１の、発光側とは逆側の根本部分１１７に近接する近傍位置１３１３まで延在させ、光源あおりホルダ１１２１と腕部１３１２との間に接着剤１４０を設けた、図３Ｃ、図３Ｄに示す構成は、光源１０１が直接に接触している光源あおりホルダ１１２１から腕部１３１２への伝熱性を向上させることができ、光源１０１から効率的に除熱が行え、効果的である。ここで上記近傍位置１３１３は、光源あおりホルダ１１２１から突出部材１３１−２の腕部１３１２への熱伝導が可能となるような位置である。
【００７７】
（実施の形態３）
図４は、本発明の実施の形態３における光ピックアップの構成のうち、光源部分の構造を示す断面図である。図４において図１等と同じ構成については同じ符号を用い説明を省略する。
【００７８】
本実施の形態３では、光源ホルダ１１１の第１側面１１５は、光源側から光学基台側に向かって広がる斜面、換言すると光源１０１から出射する光１０１ｃの光軸１０１ｅに沿って光が進行する方向１０１ｄに向かい広がる傾斜面１１５ａとして形成されている。光源ホルダ１１１は、光学基台１１０に対し、光源ホルダ１１１の斜面を持つ第１側面１１５と、光学基台１１０上に形成されたリブ１３１との空隙１３２に塗布された紫外線硬化樹脂１４０で固定されている。
【００７９】
このような構成とすることで、光ピックアップに例えば落下衝撃のような外的要因、例えば光源ホルダ１１１を基台１１０から脱落させようとする力１０５が作用した場合において、紫外線硬化樹脂１４０の変形もしくは破壊が起こらなかった場合、光源ホルダ１１１が光学基台１１０から外れるためには、傾斜面１１５ａである第１側面１１５の傾斜方向に起因して、光源ホルダ１１１自身が変形もしくは破壊されなければならない。よって、光源ホルダ１１１を金属材料や樹脂材料のように強度の高い材料で構成していれば、光源ホルダ１１１の光学基台１１０に対する固定性能を強化することができる効果がある。
【００８０】
また、本実施の形態３において、光源ホルダ１１１は、実施の形態２と同様、光源あおりホルダ１１２１と光軸調整ホルダ１１２２で構成され、光軸調整ホルダ１１２２の第１側面１１５に本実施の形態３と同様の斜面を形成してもよい。このような構成とすることで、本実施の形態３においても実施形態１及び実施形態２と同様の効果を得ることができる。
又、当該実施形態３においても、上述した図２Ｂ〜図２Ｊに示す変形例の構成を採ることもできる。
【００８１】
（実施の形態４）
図５Ａ及び図５Ｂは、本発明の実施の形態４における光ピックアップの構成のうち、光源部分の構造を示す断面図である。図５Ａ及び図５Ｂにおいて図１等と同じ構成については同じ符号を用い説明を省略する。
【００８２】
本実施の形態４では、光源ホルダ１１１にレーザ光源１０１に加えて、光源１０１の光出射側に光学素子１０２を一体的に搭載している。当該実施形態４では、光学素子１０２の一例として、ビーム整形素子を用いている。光源１０１から出射されるレーザ光１０１ｃは、楕円形の遠視野像を形成する。上記ビーム整形素子は、光源１０１から出射され楕円形状となるレーザ光１０１ｃの強度分布をほぼ円形に整形する、ガラス部材にてなる素子であり、当該実施形態４では、当該ビーム整形素子の光入射側面１０２ａは、非円筒面形状にてなり、光出射側面１０２ｂは、円筒面形状にてなる。尚、光入射側面１０２ａ及び光出射側面１０２ｂの形状は、上述の形態に限らず、両面とも円筒面形状又は非円筒面形状であってもよい。
【００８３】
このような構成とすることで、ビーム整形素子１０２をレーザ光源１０１の直近に配置することができ、光ピックアップの環境温度変化時に光源ホルダ１１１が熱膨張した場合でも、レーザ光源１０１とビーム整形素子１０２間の距離の変化は、微小で済むといった効果がある。
【００８４】
本実施の形態４においても、基台１１０は、保持部１３０を有し、光源ホルダ１１１と光学基台１１０とは、光学基台１１０上に形成されたリブ１３１と光源ホルダ１１１間の空隙１３２に塗布された硬化型樹脂１４０によって固定されており、実施の形態１と同様の効果を得られている。特に本実施の形態４のように、光源ホルダ１１１上に、レーザ光源１０１以外の例えば光学レンズを同時に搭載する場合には、光源ホルダ全体の重量が大きくなり、特に落下衝撃のような外的要因が作用する場合で、光学基台１１０と光源ホルダ１１１との固定部に相対的に大きな破壊力がかかる構成においても、光源ホルダ１１１が光学基台１１０に対して位置ずれを生じにくいといった効果がある。
【００８５】
又、実施形態１にて説明したように、保持部１３０を設けたことによる光源１０１の放熱性が良好になるという効果は、当該実施形態４でも奏することができる。
又、当該実施形態４においても、上述した図２Ｂ〜図２Ｊ、図３Ａ〜図３Ｄ、及び図４に示す変形例の構成を採ることもできる。図５Ｂは、図３Ａ及び図３Ｂに示す構成に、光学素子１０２を追加した構成を図示したものである。
【００８６】
又、上述した実施形態１〜４では、接着剤１４０は、隙間１３２からあふれない状態にて塗布している。しかしながら、接着剤１４０の塗布量を制限しなければ、保持部１３０に備わる壁面１３０ａ、及び光源ホルダ１１１の第１側面１１５を乗り越えて隙間１３２からあふれて存在してもよい。例えば実施形態１の場合を例に採ると、図１５に示すように、隙間１３２から、リブ１３１の上面１３１ａ、及び光源ホルダ１１１の第１側面１１５−２まで存在するように、接着剤１４０を塗布してもよい。
このような塗布量にて接着剤１４０を設けることで、より強固に保持部１３０に光源１０１又は光源付光源ホルダ１１１を固定することができ、又、光源１０１又は光源付光源ホルダ１１１から保持部１３０つまり基台１１０への放熱性を高めることができる。
【００８７】
（実施の形態５）
次に、上述の実施形態１〜４のいずれかにおける光ピックアップ装置を用いた、本発明の他の実施形態である光情報装置について、図６を参照して説明する。
図６において、光情報装置１５０は、上述の実施形態１〜４のいずれかにおける光ピックアップ装置１００と、ＣＤ及びＤＶＤを含む光情報媒体としての光ディスク７を載置するターンテーブル１５２ａ、及び光ディスク７を回転させるモータ１５２ｂを有するディスク回転系１５２と、上記光ピックアップ装置１００から得られる信号を受け、上記信号に基づいて上記モータ１５２ｂ及び光源１０１の制御及び駆動を行う制御駆動回路１５３とを備える。尚、光ピックアップ装置１００には、上記キャリッジ１０７を光ディスク７の半径方向に移動させる駆動装置１５１が備わる。
【００８８】
このように構成される光情報装置１５０において、光ディスク７は、ターンテーブル１５２ａに乗せられ、モータ１５２ｂによって回転される。光ピックアップ装置１００は、上記光ディスク７の所望の情報が存在するトラックのところまで、光ピックアップの駆動装置１５１によって粗動される。
【００８９】
上記光ピックアップ装置１００は、また、光ディスク７との位置関係に対応して、フォーカスエラー（焦点誤差）信号やトラッキングエラー信号を制御駆動回路１５３へ送る。制御駆動回路１５３は、このフォーカスエラー信号やトラッキングエラー信号に対応して、光ピックアップ装置１００へ、当該光ピックアップ装置１００のキャリッジ１０７に搭載されている対物レンズを微動させるための信号を送る。この対物レンズ移動信号によって、上記光ピックアップ装置１００は、上記光ディスク７に対してフォーカス制御と、トラッキング制御を行う。よって、上記光ピックアップ装置１００は、光ディスク７から情報の読みだし、さらに光ディスク７への情報の書き込み（記録）や消去を行うことができる。
【００９０】
尚、当該光情報装置１５０は、ＢＤ用の光ピックアップと、ＣＤ及びＤＶＤ用の光ピックアップとを一体的に形成した光ピックアップ装置１００を備えるが、ＤＶＤ用、ＣＤ用、ＢＤ用のそれぞれ専用の光ピックアップ装置を備えた光情報装置１５０であってもよいし、これら３種類を任意に組み合わせてなる光ピックアップ装置を備えた光情報装置１５０であってもよい。
【００９１】
以下には、上記実施形態５にて説明した光情報装置１５０を備えた光情報記録再生装置における種々の形態について説明する。上述の実施の形態５の光情報装置１５０を具備した、あるいは、上述の記録・再生方法を採用したコンピュータや、光ディスクプレーヤ、光ディスクレコーダは、異なる種類の光ディスクを安定に記録あるいは再生できるので、広い用途に使用できるという効果を有するものとなる。尚、当該光情報記録再生装置は、必ずしも情報の記録及び再生を行わなくても良く、少なくとも情報の再生が可能な装置であればよい。
【００９２】
（実施の形態６）
上記光情報記録再生装置の一例として、実施の形態５に記した光情報装置１５０を具備した、コンピュータシステムの実施の形態を示す。
【００９３】
図７において、コンピュータシステム１６０は、実施の形態５の光情報装置１５０と、情報の入力を行うためのキーボードあるいはマウス、タッチパネルなどを有する入力装置１６１と、該入力装置１６１から入力された情報や、上記光情報装置１５０から読み出した情報などに基づいて演算を行う中央演算装置（ＣＰＵ）などの演算装置１６２と、該演算装置１６２によって演算された結果などの情報を表示するブラウン管や液晶表示装置、プリンターなどの出力装置１６３を備える。尚、当該コンピュータシステム１６０において、上記入力装置１６１は必須の構成部分ではない。
【００９４】
（実施の形態７）
上記光情報記録再生装置の他の例として、実施の形態５に記した光情報装置１５０を具備した、光ディスクプレーヤの実施の形態について図８を用いて説明する。
【００９５】
図８において、光ディスクプレーヤ１７０は、実施の形態５の光情報装置１５０と、該光情報装置１５０から得られる光ディスク７の情報信号を画像に変換する、情報から画像への変換装置、例えばデコーダー１７１とを有する。また、本構成は、カーナビゲーションシステムとしても利用できる。また、液晶モニターなどの表示装置１７２を加えた形態も可能である。
【００９６】
（実施の形態８）
上記光情報記録再生装置の他の例として、実施の形態５に記した光情報装置１５０を具備した光ディスクレコーダの実施の形態について、図９を参照して以下に説明する。
【００９７】
図９において、光ディスクレコーダ１７５は、実施の形態５の光情報装置１５０と、画像情報を、上記光情報装置１５０によって光ディスク７へ記録する情報に変換する、画像から情報への変換装置、例えばエンコーダー１７６とを有する。望ましくは、上記光情報装置１５０から得られる、光ディスク７の情報信号を画像に変換する、情報から画像への変換装置、例えばデコーダー１７７も有することにより、光ディスク７において既に記録した部分を再生することも可能となる。又、記録する、あるいは再生した情報を表示するブラウン管や液晶表示装置、プリンターなどの出力装置１７８を備えてもよい。
【００９８】
（実施の形態９）
上記光情報記録再生装置の他の例として、実施の形態５に記した光情報装置１５０を具備した情報サーバーについて、図１０を参照して以下に説明する。
図１０において、情報サーバー１８０は、実施の形態５に記した光情報装置１５０と、入出力端子１８１とを備える。入出力端子１８１は、ネットワーク１８２に接続され、光情報装置１５０を介して光ディスク７に記録する情報を取り込む、又は、光情報装置１５０によって光ディスク７から読み出した情報をネットワーク１８２に出力する、有線または無線用の入出力端子である。これによって、情報サーバー１８０は、ネットワーク１８２、すなわち、複数の機器、例えば、コンピュータ、電話、テレビチュウナー、などと情報をやりとりし、これら複数の機器から共有の情報サーバ、つまり光ディスクサーバとして利用することが可能となる。光情報装置１５０がＢＤ用の光ピックアップ、並びに、ＣＤ及びＤＶＤ用の光ピックアップを備えた場合には、当該情報サーバー１８０は、異なる種類の光ディスク７を安定に記録あるいは再生できるので、広い用途に使用できる効果を有するものとなる。情報を表示するブラウン管や液晶表示装置、プリンターなどの出力装置１６３を備えてもよい。又、情報の入力を行うためのキーボードあるいはマウス、タッチパネルなどを有する入力装置１６１を備えることもできる。
【００９９】
さらに、複数の光ディスク７を光情報装置１５０に出し入れするチェンジャー１８３を具備することにより、多くの情報を記録・蓄積できる効果を得ることができる。
【０１００】
なお、上述の実施の形態６〜９において、図７〜図１０には出力装置１６３、１７８や液晶モニター１７２を示したが、出力端子を備えて、出力装置１６３、１７８や液晶モニター１７２は持たず、別売りとする商品形態があり得ることはいうまでもない。また、図８と図９には、入力装置は図示していないが、キーボードやタッチパネル、マウス、リモートコントロール装置など入力装置を具備した商品形態も可能である。逆に、上述の実施の形態６〜９において、入力装置は別売りとして、入力端子のみを持った形態も可能である。
【０１０１】
尚、上述した各実施形態１〜９を適宜組み合わせることで、光ピックアップ装置、光情報装置、及び光情報記録再生装置を構成することもできる。
【０１０２】
明細書、特許請求の範囲、図面、要約書を含む２００５年４月２８日に出願された日本特許出願第２００５−１３１９５７号に開示されたものの総ては、参考としてここに総て取り込まれるものである。
【０１０３】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【０１０４】
本発明は、光ピックアップにより光情報記録媒体に光を照射して情報の記録及び／または再生を行う光情報記録再生装置に関するものであり、光ディスクを利用するコンピュータからＡＶ機器まで、幅広い産業分野で利用することができ、その産業上の利用可能性は非常に広く且つ大きい。
【図面の簡単な説明】
【０１０５】
【図１】本発明の実施の形態１における光ピックアップ装置における光源部分の構成を示す概略斜視図である。
【図２Ａ】図１に示す光源部分の構成を示す概略断面図である。
【図２Ｂ】図１に示す光源部分の変形例を示す概略断面図である。
【図２Ｃ】図１に示す光源部分の変形例を示す概略断面図である。
【図２Ｄ】図１に示す光源部分の変形例を示す概略斜視図である。
【図２Ｅ】図１に示す光源部分の変形例を示す概略斜視図である。
【図２Ｆ】図１に示す光源部分の変形例を示す概略斜視図である。
【図２Ｇ】図２Ｅに示す光源部分の構成を示す概略断面図である。
【図２Ｈ】図１に示す光源部分の変形例を示す概略斜視図である。
【図２Ｉ】図１に示す光源部分の変形例を示す概略断面図である。
【図２Ｊ】図１に示す光源部分の変形例を示す概略斜視図である。
【図３Ａ】本発明の実施の形態２における光ピックアップ装置における光源部分の構成を示す概略斜視図である。
【図３Ｂ】図３Ａに示す光源部分の構成を示す概略断面図である。
【図３Ｃ】図３Ａに示す光源部分の変形例を示す概略斜視図である。
【図３Ｄ】図３Ｃに示す光源部分の概略断面図である。
【図４】本発明の実施の形態３における光ピックアップ装置における光源部分の構成を示す概略断面図である。
【図５Ａ】本発明の実施の形態４における光ピックアップ装置における光源部分の構成を示す概略断面図である。
【図５Ｂ】図５Ａに示す光源部分の変形例を示す概略断面図である。
【図６】本発明の実施の形態５の光情報装置の概略構成を示す図である。
【図７】本発明の実施の形態６のコンピュータの構成を示す概略斜視図である。
【図８】本発明の実施の形態７の光ディスクプレーヤ及びカーナビゲーションシステムの構成を示す概略斜視図である。
【図９】本発明の実施の形態８の光ディスクレコーダの構成を示す概略斜視図である。
【図１０】本発明の実施の形態９の光ディスクサーバの構成を示す概略斜視図である。
【図１１】上記実施の形態１〜４における光ピックアップ装置の概略構成を示す斜視図である。
【図１２Ａ】上記実施の形態１〜４における光ピックアップ装置における光源部分の変形例を示す概略斜視図である。
【図１２Ｂ】図１２Ａに示す光源部分の概略断面図である。
【図１３】上記実施の形態１〜４における光ピックアップ装置における光源部分の別の変形例を示す概略斜視図である。
【図１４】上記実施の形態１〜４における光ピックアップ装置における光源部分のさらに別の変形例を示す概略斜視図である。
【図１５】上記実施の形態１〜４における光ピックアップ装置における光源部分の別の変形例を示す概略斜視図である。
【図１６】光ピックアップの構成例を示す線図的説明図である。
【図１７】従来の光ピックアップの光源部の構成例を示す概略斜視図である。
【図１８】従来の光ピックアップの光源部の構成例を示す概略斜視図である。
【図１９】図１８に示す光源部の固定強度が弱いことを説明するための図である。
【符号の説明】
【０１０６】
７…光ディスク、
１００…光ピックアップ装置、１０１…レーザ光源、１０２…ビーム整形素子、
１１０…光学基台、１１１…光源ホルダ、１１２…光源ホルダ、
１１５…第１側面、１１５ａ…傾斜面、１１６…第２側面、１３０…保持部、
１３０ａ…壁面、１３０ｂ…座面、１３１…リブ、１３２…隙間、１３３…凹部、
１４０…硬化型樹脂、
１５０…光情報装置、１５１…駆動装置、１５３…制御駆動回路、
１６０…コンピュータシステム、１６２…演算装置、１６３…出力装置、
１７０…光ディスクプレーヤ、カーナビゲーションシステム、
１７１…デコーダー、１７６…エンコーダー、
１８０…光ディスクサーバ、１８１…入出力端子、
１１２１…光源あおりホルダ、１１２２…光軸調整ホルダ、
１３１１…柱部、１３１２…腕部。
【手続補正３】
【補正対象書類名】図面
【補正対象項目名】全図
【補正方法】変更
【補正の内容】
【図１】
2006118037.tif 000036
【図２Ａ】
2006118037.tif 000037
【図２Ｂ】
2006118037.tif 000038
【図２Ｃ】
2006118037.tif 000039
【図２Ｄ】
2006118037.tif 000040
【図２Ｅ】
2006118037.tif 000041
【図２Ｆ】
2006118037.tif 000042
【図２Ｇ】
2006118037.tif 000043
【図２Ｈ】
2006118037.tif 000044
【図２Ｉ】
2006118037.tif 000045
【図２Ｊ】
2006118037.tif 000046
【図３Ａ】
2006118037.tif 000047
【図３Ｂ】
2006118037.tif 000048
【図３Ｃ】
2006118037.tif 000049
【図３Ｄ】
2006118037.tif 000050
【図４】
2006118037.tif 000051
【図５Ａ】
2006118037.tif 000052
【図５Ｂ】
2006118037.tif 000053
【図６】
2006118037.tif 000054
【図７】
2006118037.tif 000055
【図８】
2006118037.tif 000056
【図９】
2006118037.tif 000057
【図１０】
2006118037.tif 000058
【図１１】
2006118037.tif 000059
【図１２Ａ】
2006118037.tif 000060
【図１２Ｂ】
2006118037.tif 000061
【図１３】
2006118037.tif 000062
【図１４】
2006118037.tif 000063
【図１５】
2006118037.tif 000064
【図１６】
2006118037.tif 000065
【図１７】
2006118037.tif 000066
【図１８】
2006118037.tif 000067
【図１９】
2006118037.tif 000068
【国際調査報告】
2006118037.tif 000069
2006118037.tif 000070
2006118037.tif 000071
2006118037.tif 000072